(57)【要約】  無線通信を適切に行う。  情報処理装置は、管理部を具備する情報処理装置である。この情報処理装置が具備するこの管理部は、情報処理装置が属するネットワークにおいて設定される送信抑制時間を管理するものである。また、管理部は、その管理とともに、情報処理装置が属さないネットワークであって少なくとも情報処理装置に到達する電波を送信する他のネットワークにおいて設定される送信抑制時間を他のネットワーク毎に管理するものである。
2017119184.tif 000002
【特許請求の範囲】
【請求項１】
情報処理装置が属するネットワークにおいて設定される送信抑制時間とともに、前記情報処理装置が属さないネットワークであって少なくとも前記情報処理装置に到達する電波を送信する他のネットワークにおいて設定される送信抑制時間を前記他のネットワーク毎に管理する管理部を具備する情報処理装置。
【請求項２】
前記管理部は、前記他のネットワークに属する他の情報処理装置から受信した制御信号に基づいて前記他のネットワーク毎の送信抑制時間を設定する請求項１記載の情報処理装置。
【請求項３】
前記管理部は、前記他のネットワークに属する他の情報処理装置から受信した制御信号におけるＤｕｒａｔｉｏｎの値に基づいて当該他のネットワークの送信抑制時間を設定する請求項１記載の情報処理装置。
【請求項４】
前記管理部は、前記他のネットワークに属する他の情報処理装置から受信した制御信号がＣＴＳ（Clear to Send）フレームである場合に、当該他のネットワークの送信抑制時間を管理対象とする請求項１記載の情報処理装置。
【請求項５】
前記管理部は、前記他のネットワークに属する他の情報処理装置から受信した制御信号がＣＦ−ＥＮＤ（Contention Free End）フレームである場合に、前記ＣＦ−ＥＮＤフレームにおけるアドレス情報に対応する当該他のネットワークの送信抑制時間を解除する請求項１記載の情報処理装置。
【請求項６】
前記管理部は、前記ネットワークに属する他の情報処理装置から受信した制御信号がＲＴＳ（Request to Send）フレームである場合には、前記ＲＴＳフレームにおけるＤｕｒａｔｉｏｎの値に基づいて前記ネットワークの送信抑制時間を設定する請求項１記載の情報処理装置。
【請求項７】
前記管理部により管理対象となる前記ネットワークの送信抑制時間と、前記他のネットワーク毎の送信抑制時間との全てが解除されるまでの間、無線伝送路に信号を送信しないように制御するアクセス制御部をさらに具備する請求項１の情報処理装置。
【請求項８】
前記管理部は、前記他のネットワークに属する他の情報処理装置から受信した制御信号の種類に基づいて前記送信抑制時間の管理内容を変更する請求項１記載の情報処理装置。
【請求項９】
前記管理部は、複数の前記他のネットワークにおいて設定される送信抑制時間を前記他のネットワーク毎に管理する請求項１記載の情報処理装置。
【請求項１０】
前記管理部は、前記ネットワークに属するアクセスポイントから受信した制御信号がＣＴＳフレームである場合には、前記ネットワークにおいてデータ送信が行われることを把握する請求項１記載の情報処理装置。
【請求項１１】
前記管理部は、前記ネットワークに属するアクセスポイントから受信した制御信号がＣＦ−ＥＮＤフレームである場合には、前記ネットワークにおいて前記アクセスポイントからのデータ送信が行われないことを把握する請求項１記載の情報処理装置。
【請求項１２】
第１情報処理装置および第２情報処理装置の双方が属するネットワークにおいてデータ送信を行う場合に、前記ネットワークにおいて送信抑制時間を設定するための制御信号を送信する第１情報処理装置と、
前記制御信号に基づいて前記ネットワークにおいて設定される送信抑制時間を管理するとともに、前記第１情報処理装置および前記第２情報処理装置の何れも属さないネットワークであって少なくとも前記第２情報処理装置に到達する電波を送信する他のネットワークにおいて設定される送信抑制時間を前記他のネットワーク毎に管理する管理部を具備する第２情報処理装置と
を具備する通信システム。
【請求項１３】
情報処理装置が属するネットワークにおいて設定される送信抑制時間とともに、前記情報処理装置が属さないネットワークであって少なくとも前記情報処理装置に到達する電波を送信する他のネットワークにおいて設定される送信抑制時間を前記他のネットワーク毎に管理する情報処理方法。
【請求項１４】
情報処理装置が属するネットワークにおいて設定される送信抑制時間とともに、前記情報処理装置が属さないネットワークであって少なくとも前記情報処理装置に到達する電波を送信する他のネットワークにおいて設定される送信抑制時間を前記他のネットワーク毎に管理する制御手順をコンピュータに実行させるプログラム。
【発明の詳細な説明】
【技術分野】
【０００１】
本技術は、情報処理装置に関する。詳しくは、無線通信を利用してデータのやりとりを行う情報処理装置、通信システムおよび情報処理方法ならびに当該方法をコンピュータに実行させるプログラムに関する。
【背景技術】
【０００２】
従来、無線通信を利用してデータのやりとりを行う無線通信技術が存在する。例えば、無線ＬＡＮ（Local Area Network）を利用して各情報処理装置間でデータのやりとりを行う通信方法が提案されている。【０００３】
また、ＮＡＶ（Network Allocation Vector）を設定することにより、バーチャルキャリアセンスを実施し、データを受信している機器の受信動作に干渉を与えないようにする方法が無線ＬＡＮ通信規格で定義されている。【０００４】
また、近年では、スループットを向上させることを目的とした無線ＬＡＮ通信規格のブラシュアップが図られている。例えば、個々の通信毎に送信電力を調整し、キャリアセンスのレベルを調整することにより、異なる通信を影響のない範囲で空間的に再利用する方法が提案されている。【０００５】
ここで、上述した無線ＬＡＮ通信規格は、１つのＢＳＳ（Basic Service Set）内のバーチャルキャリアセンスのみを想定したものである。このため、ＮＡＶを設定する場合には、最も長い値を保持すればよいと規定されている。【０００６】
しかしながら、自装置が属するＢＳＳとオーバーラップする他のＢＳＳ（ＯＢＳＳ（Overlapping Basic Service Set））が存在することも想定される。このため、ＯＢＳＳと共存する仕組みを構築する技術が提案されている。例えば、自装置が属するＢＳＳのＮＡＶと、ＯＢＳＳのオーバーラップＮＡＶ（ＯＮＡＶ）とを組み合わせて用いる技術が提案されている（例えば、特許文献１参照。）。
【先行技術文献】
【特許文献】
【０００７】
【特許文献１】特表２００４−５２５５８６号公報
【発明の概要】
【発明が解決しようとする課題】
【０００８】
上述の従来技術では、ＯＢＳＳのＮＡＶをＯＮＡＶとして用いることができる。ここで、ＯＢＳＳが複数存在することも想定される。このような場合に、スループットを向上させ、無線通信を適切に行うためには、複数のＯＢＳＳを考慮することが重要となる。【０００９】
本技術はこのような状況に鑑みて生み出されたものであり、無線通信を適切に行うことを目的とする。
【課題を解決するための手段】
【００１０】
本技術は、上述の問題点を解消するためになされたものであり、その第１の側面は、情報処理装置が属するネットワークにおいて設定される送信抑制時間とともに、上記情報処理装置が属さないネットワークであって少なくとも上記情報処理装置に到達する電波を送信する他のネットワークにおいて設定される送信抑制時間を上記他のネットワーク毎に管理する管理部を具備する情報処理装置およびその情報処理方法ならびに当該方法をコンピュータに実行させるプログラムである。これにより、情報処理装置が属するネットワークにおいて設定される送信抑制時間とともに、他のネットワークにおいて設定される送信抑制時間を他のネットワーク毎に管理するという作用をもたらす。【００１１】
また、この第１の側面において、上記管理部は、上記他のネットワークに属する他の情報処理装置から受信した制御信号に基づいて上記他のネットワーク毎の送信抑制時間を設定するようにしてもよい。これにより、他のネットワークに属する他の情報処理装置から受信した制御信号に基づいて、他のネットワーク毎の送信抑制時間を設定するという作用をもたらす。【００１２】
また、この第１の側面において、上記管理部は、上記他のネットワークに属する他の情報処理装置から受信した制御信号におけるＤｕｒａｔｉｏｎの値に基づいて当該他のネットワークの送信抑制時間を設定するようにしてもよい。これにより、他のネットワークに属する他の情報処理装置から受信した制御信号におけるＤｕｒａｔｉｏｎの値に基づいて、他のネットワークの送信抑制時間を設定するという作用をもたらす。【００１３】
また、この第１の側面において、上記管理部は、上記他のネットワークに属する他の情報処理装置から受信した制御信号がＣＴＳ（Clear to Send）フレームである場合に、当該他のネットワークの送信抑制時間を管理対象とするようにしてもよい。これにより、他のネットワークに属する他の情報処理装置から受信した制御信号がＣＴＳフレームである場合に、他のネットワークの送信抑制時間を管理対象とするという作用をもたらす。【００１４】
また、この第１の側面において、上記管理部は、上記他のネットワークに属する他の情報処理装置から受信した制御信号がＣＦ−ＥＮＤ（Contention Free End）フレームである場合に、上記ＣＦ−ＥＮＤフレームにおけるアドレス情報に対応する当該他のネットワークの送信抑制時間を解除するようにしてもよい。これにより、他のネットワークに属する他の情報処理装置から受信した制御信号がＣＦ−ＥＮＤフレームである場合に、ＣＦ−ＥＮＤフレームにおけるアドレス情報に対応する他のネットワークの送信抑制時間を解除するという作用をもたらす。【００１５】
また、この第１の側面において、上記管理部は、上記ネットワークに属する他の情報処理装置から受信した制御信号がＲＴＳ（Request to Send）フレームである場合には、上記ＲＴＳフレームにおけるＤｕｒａｔｉｏｎの値に基づいて上記ネットワークの送信抑制時間を設定するようにしてもよい。これにより、ネットワークに属する他の情報処理装置から受信した制御信号がＲＴＳフレームである場合には、ＲＴＳフレームにおけるＤｕｒａｔｉｏｎの値に基づいて、ネットワークの送信抑制時間を設定するという作用をもたらす。【００１６】
また、この第１の側面において、上記管理部により管理対象となる上記ネットワークの送信抑制時間と、上記他のネットワーク毎の送信抑制時間との全てが解除されるまでの間、無線伝送路に信号を送信しないように制御するアクセス制御部をさらに具備するようにしてもよい。これにより、管理部により管理対象となるネットワークの送信抑制時間と、他のネットワーク毎の送信抑制時間との全てが解除されるまでの間、無線伝送路に信号を送信しないように制御するという作用をもたらす。【００１７】
また、この第１の側面において、上記管理部は、上記他のネットワークに属する他の情報処理装置から受信した制御信号の種類に基づいて上記送信抑制時間の管理内容を変更するようにしてもよい。これにより、他のネットワークに属する他の情報処理装置から受信した制御信号の種類に基づいて、送信抑制時間の管理内容を変更するという作用をもたらす。【００１８】
また、この第１の側面において、上記管理部は、複数の上記他のネットワークにおいて設定される送信抑制時間を上記他のネットワーク毎に管理するようにしてもよい。これにより、複数の他のネットワークにおいて設定される送信抑制時間を他のネットワーク毎に管理するという作用をもたらす。【００１９】
また、この第１の側面において、上記管理部は、上記ネットワークに属するアクセスポイントから受信した制御信号がＣＴＳフレームである場合には、上記ネットワークにおいて上記アクセスポイントからのデータ送信が行われることを把握するようにしてもよい。これにより、ネットワークに属するアクセスポイントから受信した制御信号がＣＴＳフレームである場合には、ネットワークにおいてデータ送信が行われることを把握するという作用をもたらす。【００２０】
また、この第１の側面において、上記管理部は、上記ネットワークに属するアクセスポイントから受信した制御信号がＣＦ−ＥＮＤフレームである場合には、上記ネットワークにおいてデータ送信が行われないことを把握するようにしてもよい。これにより、ネットワークに属するアクセスポイントから受信した制御信号がＣＦ−ＥＮＤフレームである場合には、ネットワークにおいてデータ送信が行われないことを把握するという作用をもたらす。【００２１】
また、本技術の第２の側面は、第１情報処理装置および第２情報処理装置の双方が属するネットワークにおいてデータ送信を行う場合に、上記ネットワークにおいて送信抑制時間を設定するための制御信号を送信する第１情報処理装置と、上記制御信号に基づいて上記ネットワークにおいて設定される送信抑制時間を管理するとともに、上記第１情報処理装置および上記第２情報処理装置の何れも属さないネットワークであって少なくとも上記第２情報処理装置に到達する電波を送信する他のネットワークにおいて設定される送信抑制時間を上記他のネットワーク毎に管理する管理部を具備する第２情報処理装置とを具備する通信システムおよびその情報処理方法ならびに当該方法をコンピュータに実行させるプログラムである。これにより、第１情報処理装置は、第１情報処理装置および第２情報処理装置の双方が属するネットワークにおいてデータ送信を行う場合に、ネットワークにおいて送信抑制時間を設定するための制御信号を送信し、第２情報処理装置は、その制御信号に基づいて、ネットワークにおいて設定される送信抑制時間を管理するとともに、他のネットワークにおいて設定される送信抑制時間を他のネットワーク毎に管理するという作用をもたらす。
【発明の効果】
【００２２】
本技術によれば、無線通信を適切に行うことができるという優れた効果を奏し得る。なお、ここに記載された効果は必ずしも限定されるものではなく、本開示中に記載されたいずれかの効果であってもよい。
【図面の簡単な説明】
【００２３】
【図１】本技術の実施の形態における通信システム１０のシステム構成の一例を示す図である。
【図２】本技術の実施の形態における情報処理装置（ＡＰ１）１００の機能構成例を示すブロック図である。
【図３】本技術の基礎となる機器間でやりとりされるフレームフォーマットの構成例を示す図である。
【図４】本技術の基礎となるＮＡＶの設定・解除例を示す図である。
【図５】本技術の基礎となるＯＮＡＶの設定・解除例を示す図である。
【図６】本技術の実施の形態におけるＮＡＶ・ＯＮＡＶ管理部２１２によるＮＡＶおよびＯＮＡＶの管理例を示す図である。
【図７】本技術の実施の形態におけるＮＡＶ・ＯＮＡＶ管理部２１２によるＯＮＡＶの管理例を示す図である。
【図８】本技術の実施の形態における情報処理装置によるＮＶおよびＯＮＡＶ管理処理の処理手順の一例を示すフローチャートである。
【図９】スマートフォンの概略的な構成の一例を示すブロック図である。
【図１０】カーナビゲーション装置の概略的な構成の一例を示すブロック図である。
【図１１】無線アクセスポイントの概略的な構成の一例を示すブロック図である。
【発明を実施するための形態】
【００２４】
以下、本技術を実施するための形態（以下、実施の形態と称する）について説明する。説明は以下の順序により行う。
１．実施の形態（ＢＳＳにおいて設定されるＮＡＶとともにＯＢＳＳにおいて設定されるＯＮＡＶをＯＢＳＳ毎に管理する例）
２．応用例
【００２５】
＜１．実施の形態＞
［通信システムの構成例］
図１は、本技術の実施の形態における通信システム１０のシステム構成の一例を示す図である。具体的には、オーバーラップしたＢＳＳ（Basic Service Set）の状況を模式的に示す。
【００２６】
通信システム１０は、情報処理装置（ＡＰ１）１００と、情報処理装置（ＳＴＡ１−１）１０１と、情報処理装置（ＳＴＡ１−２）１０２と、情報処理装置（ＡＰ２）１１０と、情報処理装置（ＳＴＡ２−１）１１１と、情報処理装置（ＳＴＡ２−２）１１２と、情報処理装置（ＡＰ３）１２０と、情報処理装置（ＳＴＡ３−１）１２１と、情報処理装置（ＳＴＡ３−２）１２２とを含む無線ネットワークである。なお、図１では、各情報処理装置（ＡＰ、ＳＴＡ）を実線の円で示す。また、各情報処理装置（ＡＰ、ＳＴＡ）の電波到達範囲１３０乃至１３２、１４０乃至１４２、１５０乃至１５２を、対応する情報処理装置（ＡＰ、ＳＴＡ）を中心とする破線の円で示す。
【００２７】
例えば、通信システム１０を構成する各情報処理装置（ＡＰ、ＳＴＡ）は、無線通信機能を備える固定型または携帯型の機器（例えば、情報処理装置、無線通信装置、電子機器）とすることができる。ここで、固定型の機器は、例えば、無線ＬＡＮ（Local Area Network）システムにおけるアクセスポイント（Ａｃｃｅｓｓ  Ｐｏｉｎｔ）、基地局等の機器である。また、携帯型の機器は、例えば、スマートフォン、携帯電話、タブレット端末等の機器である。
【００２８】
また、通信システム１０を構成する各情報処理装置（ＡＰ、ＳＴＡ）は、例えば、ＩＥＥＥ（Institute of Electrical and Electronic Engineers）８０２．１１の無線ＬＡＮ規格に準拠した通信機能を備えるものとする。例えば、ＩＥＥＥ８０２．１１ａｘの無線ＬＡＮ規格に準拠した通信機能を備えることができる。また、無線ＬＡＮとして、例えば、Ｗｉ−Ｆｉ（Wireless Fidelity）、Ｗｉ−Ｆｉ  Ｄｉｒｅｃｔ、Ｗｉ−Ｆｉ  ＣＥＲＴＩＦＩＥＤ  Ｍｉｒａｃａｓｔ仕様（技術仕様書名：Ｗｉ−Ｆｉ  Ｄｉｓｐｌａｙ）を用いることができる。また、他の通信方式を利用した無線通信を行うようにしてもよい。
【００２９】
例えば、通信システム１０は、アクセスポイント（親局）およびその配下装置（子局）により構成される無線ネットワークとすることができる。例えば、情報処理装置（ＡＰ１）１００をアクセスポイントとし、情報処理装置（ＳＴＡ１−１）１０１、情報処理装置（ＳＴＡ１−２）１０２を、その配下装置とすることができる。また、情報処理装置（ＡＰ１）１００、情報処理装置（ＳＴＡ１−１）１０１、情報処理装置（ＳＴＡ１−２）１０２により、ＢＳＳ（Basic Service Set）が構成される。図１では、これらの対応する円を、白塗りの円で示す。
【００３０】
同様に、例えば、情報処理装置（ＡＰ２）１１０をアクセスポイントとし、情報処理装置（ＳＴＡ２−１）１１１、情報処理装置（ＳＴＡ２−２）１１２を、その配下装置とすることができる。また、情報処理装置（ＡＰ２）１１０、情報処理装置（ＳＴＡ２−１）１１１、情報処理装置（ＳＴＡ２−２）１１２によりＢＳＳが構成される。図１では、これらの対応する円を、内部にグレーを付した円で示す。
【００３１】
同様に、例えば、情報処理装置（ＡＰ３）１２０をアクセスポイントとし、情報処理装置（ＳＴＡ３−１）１２１、情報処理装置（ＳＴＡ３−２）１２２を、その配下装置とすることができる。また、情報処理装置（ＡＰ３）１２０、情報処理装置（ＳＴＡ３−１）１２１、情報処理装置（ＳＴＡ３−２）１２２により、ＢＳＳが構成される。図１では、これらの対応する円を、黒塗りの円で示す。
【００３２】
また、各情報処理装置（ＡＰ、ＳＴＡ）の電波到達範囲１３０乃至１３２、１４０乃至１４２、１５０乃至１５２については、ＢＳＳ毎に異なる破線の円で示す。
【００３３】
また、図１では、通信システム１０を構成する各情報処理装置（ＡＰ、ＳＴＡ）が、送信電力制御および受信感度の制御を行う例を示す。このため、例えば、アクセスポイント（情報処理装置（ＡＰ））の近くに存在するステーション（情報処理装置（ＳＴＡ））では、より小さい送信電力で送信が可能となる。一方、アクセスポイント（情報処理装置（ＡＰ））の遠くに存在するステーション（情報処理装置（ＳＴＡ））は、より大きな送信電力で送信が可能となる。
【００３４】
このように、図１では、同一空間上に複数のＢＳＳがオーバーラップして存在する環境の一例を示す。このように、基準となる機器が属するＢＳＳにオーバーラップする他のＢＳＳを、ＯＢＳＳ（Overlapping Basic Service Set）と称して説明する。言い換えると、ＯＢＳＳは、基準となる機器が属さないネットワークであって、少なくとも基準となる機器に到達する電波を送信する他のネットワークとすることができる。
【００３５】
図１では、情報処理装置（ＡＰ１）１００、情報処理装置（ＳＴＡ１−１）１０１、情報処理装置（ＳＴＡ１−２）１０２により１つのＢＳＳが構成される。また、このＢＳＳを基準とする場合に、情報処理装置（ＡＰ２）１１０、情報処理装置（ＳＴＡ２−１）１１１、情報処理装置（ＳＴＡ２−２）１１２により構成される第１のＯＢＳＳ（ＯＢＳＳ１）が存在することになる。この場合に、情報処理装置（ＳＴＡ１−１）１０１は、第１のＯＢＳＳ（ＯＢＳＳ１）に属する機器のうち、情報処理装置（ＡＰ２）１１０、情報処理装置（ＳＴＡ２−１）１１１からの信号を受信することができる状態にある。
【００３６】
このため、例えば、情報処理装置（ＳＴＡ１−１）１０１は、第１のＯＢＳＳ（ＯＢＳＳ１）に属する情報処理装置（ＳＴＡ２−１）１１１からのＲＴＳ（Request to Send）フレームやＣＴＳ（Clear to Send）フレームを受信することができる状態にある。また、情報処理装置（ＳＴＡ１−１）１０１は、情報処理装置（ＡＰ２）１１０からのＣＴＳフレーム（ＣＴＳ  ｔｏ  Ｓｅｌｆフレーム）を受信することができる状態にある。このため、情報処理装置（ＳＴＡ１−１）１０１は、ＯＢＳＳに属する各機器からの信号に基づいて、ＮＡＶ（Network Allocation Vector）を設定してＯＢＳＳとの共存を図る必要が生じる。なお、本技術の実施の形態では、ＯＢＳＳに属する各機器からの信号に基づいて設定されるＮＡＶをＯＮＡＶ（Overlapping Network Allocation Vector）と称して説明する。
【００３７】
また、図１では、情報処理装置（ＳＴＡ１−１）１０１が属するＢＳＳを基準とする場合に、情報処理装置（ＡＰ３）１２０、情報処理装置（ＳＴＡ３−１）１２１、情報処理装置（ＳＴＡ３−２）１２２により構成される第２のＯＢＳＳ（ＯＢＳＳ２）が存在することになる。この場合に、情報処理装置（ＳＴＡ１−１）１０１は、第２のＯＢＳＳ（ＯＢＳＳ２）に属する機器のうち、情報処理装置（ＳＴＡ３−１）１２１からの信号を受信することができる状態にある。
【００３８】
このため、例えば、情報処理装置（ＳＴＡ１−１）１０１は、第２のＯＢＳＳ（ＯＢＳＳ２）に属する情報処理装置（ＳＴＡ３−１）１２１からのＲＴＳフレームやＣＴＳフレームを受信することができる状態にある。ただし、情報処理装置（ＳＴＡ１−１）１０１は、第２のＯＢＳＳ（ＯＢＳＳ２）に属する情報処理装置（ＡＰ３）１２０からのＣＴＳフレーム（ＣＴＳ  ｔｏ  Ｓｅｌｆフレーム）を受信することは困難である。このため、情報処理装置（ＳＴＡ１−１）１０１は、第２のＯＢＳＳ（ＯＢＳＳ２）に属する各機器からの信号に基づいて、ＯＮＡＶを設定することは任意とすることができる。
【００３９】
なお、図１では、情報処理装置（ＳＴＡ１−１）１０１が属するＢＳＳの各機器の電波到達範囲１３０乃至１３２を破線で示す。また、第１のＯＢＳＳ（ＯＢＳＳ１）に属する各機器の電波到達範囲１４０乃至１４２を１点鎖線で示し、第２のＯＢＳＳ（ＯＢＳＳ２）に属する各機器の電波到達範囲１５０乃至１５２を２点鎖線で示す。
【００４０】
なお、通信システム１０において、稼働中に各情報処理装置（ＡＰ、ＳＴＡ）の位置関係が移動することにより、必要とされる送信電力がその都度設定され、電波到達範囲もその都度変化することになる。
【００４１】
［情報処理装置の構成例］
図２は、本技術の実施の形態における情報処理装置（ＡＰ１）１００の機能構成例を示すブロック図である。
【００４２】
図２では、便宜上、情報処理装置（ＡＰ１）１００の機能構成例のみを示すが、他の情報処理装置（ＡＰ、ＳＴＡ）の機能構成（無線通信に関する機能構成）についても同様である。また、本技術の実施の形態では、便宜上、アクセスポイントとなる情報処理装置（ＡＰ）と、他の情報処理装置（ＳＴＡ）とを同じ構成として説明するが、機器に応じて一部を異なる構成とするようにしてもよい。例えば、アクセスポイント（ＡＰ）の場合には、インターネット通信部２１として有線網を介してインターネットに接続される構成としてもよい。また、これらの制御は、機器制御部２３によって制御される構成とすることができる。
【００４３】
情報処理装置（ＡＰ１）１００は、インターネット通信部２１と、情報入力部２２と、機器制御部２３と、情報出力部２４とを備える。これらの各部は、情報処理装置（ＡＰ１）１００におけるシステム構成の一例であり、必要に応じて備えるようにしてもよい。また、これらの各部の機能の一部または全部によって無線通信システムとして構成されてもよい。
【００４４】
また、情報処理装置（ＡＰ１）１００は、これらの各部を除いた、無線通信デバイスまたは無線通信モジュールとして動作をするようにしてもよい。
【００４５】
インターネット通信部２１は、インターネットに接続するための通信部である。
【００４６】
情報入力部２２は、ユーザからの情報入力（例えば、キーボード入力）を受け付けたり、各種の情報（例えば、画像情報、音声情報）を獲得したりする情報入力部である。
【００４７】
情報出力部２４は、ユーザに対する情報を出力（例えば、画像や映像のディスプレイ表示、音声情報や音楽情報の音声出力）する情報出力部である。
【００４８】
機器制御部２３は、情報処理装置（ＡＰ１）１００におけるシステム全体の制御を行うものである。
【００４９】
また、情報処理装置（ＡＰ１）１００は、インターフェース部２０１と、送信バッファ２０２と、データフレーム生成部２０３と、制御フレーム生成部２０４と、無線信号送信処理部２０５と、アクセス制御部２０６と、送信電力制御／受信電界強度設定部２０７と、アンテナ制御部２０８と、アンテナエレメント２０９Ａ、２０９Ｂと、無線信号受信処理部２１０と、制御フレーム抽出部２１１と、ＮＡＶ・ＯＮＡＶ管理部２１２と、データフレーム抽出部２１３と、受信バッファ２１４とを備える。これらの各部は、例えば、無線通信に特化した無線通信モジュールにより実現される。
【００５０】
インターフェース部２０１は、ユーザからの情報の入力に基づいてアプリケーションデータを受け取り、アプリケーションデータを出力するためのインターフェースである。例えば、インターフェース部２０１は、ユーザからの情報の入力に基づいて無線送信するアプリケーションデータを機器制御部２３から受け取り送信バッファ２０２に保持させ、無線で受信したアプリケーションデータをユーザへの情報として機器制御部２３に出力する。
【００５１】
送信バッファ２０２は、情報処理装置（ＡＰ１）１００から他の情報処理装置宛に送信されるデータを一時的に保持する送信バッファである。そして、送信バッファ２０２は、保持されているデータをデータフレーム生成部２０３に供給する。
【００５２】
データフレーム生成部２０３は、送信バッファ２０２に保持されているデータ（送信データ）を、所定の無線伝送されるデータフレームフォーマットに構築するものである。そして、データフレーム生成部２０３は、その生成されたデータフレームを無線信号送信処理部２０５に出力する。
【００５３】
制御フレーム生成部２０４は、ＮＡＶ・ＯＮＡＶ管理部２１２からの指示に基づいて、データ送信に併せてＲＴＳフレーム、ＣＴＳフレーム、ＡＣＫフレーム等の制御フレームを構築するものである。そして、制御フレーム生成部２０４は、その生成された制御フレームを無線信号送信処理部２０５に出力する。
【００５４】
無線信号送信処理部２０５は、送信されるデータフレームをベースバンド信号として高周波信号に変換するものである。そして、無線信号送信処理部２０５は、アクセス制御部２０６の制御に基づいて、高周波信号に変換されたベースバンド信号をアンテナ制御部２０８に出力する。
【００５５】
アクセス制御部２０６は、所定の無線通信プロトコルに準拠して無線伝送路上の通信のアクセスを制御するアクセス制御部である。例えば、アクセス制御部２０６は、ＮＡＶ・ＯＮＡＶ管理部２１２による管理内容に基づいて、無線伝送路上の通信のアクセスを制御することができる。例えば、アクセス制御部２０６は、ＮＡＶ・ＯＮＡＶ管理部２１２により管理対象となるＮＡＶとＯＢＳＳ毎のＯＮＡＶとの全てが解除されている間には、無線伝送路に信号を送信するための制御を行う。また、例えば、アクセス制御部２０６は、ＮＡＶ・ＯＮＡＶ管理部２１２により管理対象となるＮＡＶとＯＢＳＳ毎のＯＮＡＶとの全てが解除されるまでの間、無線伝送路に信号を送信しないように制御することができる。
【００５６】
送信電力制御／受信電界強度設定部２０７は、所望の送信電力と受信電界強度の信号検出レベルを設定する送信電力制御／受信電界強度設定部である。
【００５７】
アンテナ制御部２０８は、信号を無線伝送路上に送信し、無線伝送路上から信号を受信するアンテナを制御するアンテナ制御部である。
【００５８】
アンテナエレメント２０９Ａ、２０９Ｂは、複数のアンテナエレメントとして信号を送信または受信するためのアンテナエレメントである。
【００５９】
無線信号受信処理部２１０は、アンテナを介して受け取った高周波信号からベースバンド信号を抽出するためのものである。そして、無線信号受信処理部２１０は、その抽出されたベースバンド信号をアクセス制御部２０６、制御フレーム抽出部２１１およびデータフレーム抽出部２１３に出力する。
【００６０】
制御フレーム抽出部２１１は、ベースバンド信号から伝送路の利用状況を示す、ＲＴＳフレーム、ＣＴＳフレーム、ＡＣＫフレーム等の所定の制御フレームを抽出するものである。そして、制御フレーム抽出部２１１は、その抽出された制御フレームをアクセス制御部２０６およびＮＡＶ・ＯＮＡＶ管理部２１２に出力する。
【００６１】
ＮＡＶ・ＯＮＡＶ管理部２１２は、自装置が属するＢＳＳにおいて設定されるＮＡＶを管理するとともに、ＯＢＳＳにおいて設定されるＯＮＡＶをＯＢＳＳ毎に管理するものである。例えば、ＮＡＶ・ＯＮＡＶ管理部２１２は、自装置のＢＳＳに属する他の情報処理装置から受信した制御信号（制御フレーム）に基づいて、ＮＡＶを設定することができる。また、例えば、ＮＡＶ・ＯＮＡＶ管理部２１２は、ＯＢＳＳに属する他の情報処理装置から受信した制御信号（制御フレーム）に基づいて、ＯＢＳＳ毎のＯＮＡＶを設定することができる。この場合に、ＮＡＶ・ＯＮＡＶ管理部２１２は、複数のＯＢＳＳにおいて設定されるＯＮＡＶを複数のＯＢＳＳ毎に管理することができる。なお、ＮＡＶ・ＯＮＡＶ管理部２１２によるＮＡＶおよびＯＮＡＶの管理例については、図６を参照して詳細に説明する。また、ＮＡＶ・ＯＮＡＶ管理部２１２は、請求の範囲に記載の管理部の一例である。
【００６２】
データフレーム抽出部２１３は、ベースバンド信号からデータフレームの内部に含まれるデータを抽出するものである。そして、データフレーム抽出部２１３は、その抽出されたデータを受信バッファ２１４に保持させる。
【００６３】
受信バッファ２１４は、所定単位のデータが収集されるまでの間、受信したデータ等を一時的に保持する受信バッファである。そして、受信バッファ２１４は、保持されているデータをインターフェース部２０１に供給する。
【００６４】
［フレームフォーマットの構成例］
図３は、本技術の基礎となる機器間でやりとりされるフレームフォーマットの構成例を示す図である。
【００６５】
図３のａには、ＲＴＳ（Request to Send）フレームの構成例を示す。ＲＴＳフレームは、Ｆｒａｍｅ  Ｃｏｎｔｒｏｌ３０１と、Ｄｕｒａｔｉｏｎ３０２と、ＲＡ（Receive Address）３０３と、ＴＡ（Transmit Address）３０４と、ＦＣＳ（Frame Check Sequence）３０５とより構成される。
【００６６】
Ｆｒａｍｅ  Ｃｏｎｔｒｏｌ３０１には、ＲＴＳフレームの形式を指定するための情報が格納される。Ｄｕｒａｔｉｏｎ３０２には、ＮＡＶを設定するための持続時間情報が格納される。
【００６７】
ＲＡ３０３には、受信側アドレスが指定される。ＴＡ３０４には、送信側アドレスが指定される。例えば、情報処理装置（ＳＴＡ）から情報処理装置（ＡＰ）にＲＴＳフレームが送信される場合には、ＲＡ３０３には、情報処理装置（ＡＰ）のアドレス情報（例えば、ＭＡＣ（Media Access Control）アドレス）が格納される。また、ＴＡ３０４には、情報処理装置（ＳＴＡ）のアドレス情報が格納される。
【００６８】
ＦＣＳ３０５には、誤り検出のための情報が格納される。
【００６９】
図３のｂには、ＣＴＳ（Clear to Send）フレームの構成例を示す。ＣＴＳフレームは、Ｆｒａｍｅ  Ｃｏｎｔｒｏｌ３１１と、Ｄｕｒａｔｉｏｎ３１２と、ＲＡ３１３と、ＦＣＳ３１４とより構成される。
【００７０】
Ｆｒａｍｅ  Ｃｏｎｔｒｏｌ３１１には、ＣＴＳフレームの形式を指定するための情報が格納される。Ｄｕｒａｔｉｏｎ３１２には、ＮＡＶを設定するための持続時間情報が格納される。
【００７１】
ＲＡ３１３には、対象となるアドレスが指定される。例えば、情報処理装置（ＳＴＡ）から情報処理装置（ＡＰ）へのＲＴＳフレームに対応するＣＴＳフレームが情報処理装置（ＡＰ）から情報処理装置（ＳＴＡ）に送信される場合には、ＲＡ３１３には、情報処理装置（ＳＴＡ）のアドレス情報が格納される。すなわち、ＲＡ３１３には、図３のａに示すＴＡ３０４のコピーが格納される。
【００７２】
ＦＣＳ３１４には、誤り検出のための情報が格納される。
【００７３】
図３のｃには、ＡＣＫ（Acknowledgement）フレームの構成例を示す。ＡＣＫフレームは、Ｆｒａｍｅ  Ｃｏｎｔｒｏｌ３２１と、Ｄｕｒａｔｉｏｎ３２２と、ＲＡ３２３と、ＦＣＳ３２４とより構成される。
【００７４】
Ｆｒａｍｅ  Ｃｏｎｔｒｏｌ３２１には、ＡＣＫフレームの形式を指定するための情報が格納される。Ｄｕｒａｔｉｏｎ３２２には、ＮＡＶを設定するための持続時間情報が格納される。
【００７５】
ＲＡ３２３には、対象となるアドレスが指定される。ＦＣＳ３２４には、誤り検出のための情報が格納される。
【００７６】
図３のｄには、ＰＳ−Ｐｏｌｌ（Power Save Polling）フレームの構成例を示す。ＰＳ−Ｐｏｌｌフレームは、Ｆｒａｍｅ  Ｃｏｎｔｒｏｌ３３１と、ＡＩＤ（Association Identifier）３３２と、ＢＳＳＩＤ（ＲＡ）３３３と、ＴＡ３３４と、ＦＣＳ３３５とより構成される。
【００７７】
Ｆｒａｍｅ  Ｃｏｎｔｒｏｌ３３１には、ＰＳ−Ｐｏｌｌフレームの形式を指定するための情報が格納される。ＡＩＤ３３２には、アソシエーション識別子に関する情報が格納される。
【００７８】
ＢＳＳＩＤ（ＲＡ）３３３には、受信側アドレスとしてＢＳＳＩＤ情報が指定される。ＴＡ３３４には、送信側アドレスが指定される。ＦＣＳ３３５には、誤り検出のための情報が格納される。
【００７９】
図３のｅには、ＣＦ−ＥＮＤ（Contention Free End）フレームの構成例を示す。ＣＦ−ＥＮＤフレームは、Ｆｒａｍｅ  Ｃｏｎｔｒｏｌ３４１と、Ｄｕｒａｔｉｏｎ３４２と、ＲＡ３４３と、ＢＳＳＩＤ（ＴＡ）３４４と、ＦＣＳ３４５とより構成される。
【００８０】
Ｆｒａｍｅ  Ｃｏｎｔｒｏｌ３４１には、ＣＦ−ＥＮＤフレームの形式を指定するための情報が格納される。Ｄｕｒａｔｉｏｎ３４２には、ＮＡＶを設定するための持続時間情報が格納される。
【００８１】
ＲＡ３４３には、受信側アドレスが指定される。ＢＳＳＩＤ（ＴＡ）３４４には、送信側アドレスとしてＢＳＳＩＤ情報が指定される。ＦＣＳ３４５には、誤り検出のための情報が格納される。
【００８２】
図３のｆには、ＣＦ−ＥＮＤ＋ＣＦ−ＡＣＫ（Contention Free End＋Contention Free Ack）フレームの構成例を示す。ＣＦ−ＥＮＤ＋ＣＦ−ＡＣＫフレームは、Ｆｒａｍｅ  Ｃｏｎｔｒｏｌ３５１と、Ｄｕｒａｔｉｏｎ３５２と、ＲＡ３５３と、ＢＳＳＩＤ（ＴＡ）３５４と、ＦＣＳ３５５とより構成される。
【００８３】
Ｆｒａｍｅ  Ｃｏｎｔｒｏｌ３５１には、ＣＦ−ＥＮＤ＋ＣＦ−ＡＣＫフレームの形式を指定するための情報が格納される。Ｄｕｒａｔｉｏｎ３５２には、ＮＡＶを設定するための持続時間情報が格納される。
【００８４】
ＲＡ３５３には、受信側アドレスが指定される。ＢＳＳＩＤ（ＴＡ）３５４には、送信側アドレスとしてＢＳＳＩＤ情報が指定される。ＦＣＳ３５５には、誤り検出のための情報が格納される。
【００８５】
［ＮＡＶの設定例］
図４は、本技術の基礎となるＮＡＶの設定・解除例を示す図である。なお、図４に示す横軸は、時間軸を示す。また、図４において、各機器に対応する時間軸の上側には、送信対象となるデータを内部にその内容を付した矩形で示す。
【００８６】
図４のａには、ＲＴＳフレームおよびＣＴＳフレームの交換によりＮＡＶを設定する場合の一例を示す。図４のａでは、データの送信側の機器（送信側機器）とデータの受信側の機器（受信側機器）との間で行われる通信例およびＮＡＶの設定例を示す。
【００８７】
最初に、送信側機器は、データを受信側機器に送信する前に、ＲＴＳフレームを受信側機器に送信する（４０１）。このＲＴＳフレームにおけるＤｕｒａｔｉｏｎ３０２（図３のａに示す）には、ＮＡＶを設定する時間（送信抑制時間）が格納される。また、送信側機器において、そのＲＴＳフレームにおけるＤｕｒａｔｉｏｎ３０２（図３のａに示す）に格納した時間に亘り、バーチャルキャリアセンスによるＮＡＶが設定される（４０５）。
【００８８】
また、受信側機器は、そのＲＴＳフレームを受信した場合には、そのＲＴＳフレームに対するＣＴＳフレームを送信側機器に送信する（４０２）。このＣＴＳフレームにおけるＤｕｒａｔｉｏｎ３１２（図３のｂに示す）には、ＮＡＶを設定する時間（送信抑制時間）が格納される。また、受信側機器において、そのＣＴＳフレームにおけるＤｕｒａｔｉｏｎ３１２（図３のｂに示す）に格納した時間に亘り、バーチャルキャリアセンスによるＮＡＶが設定される（４０６）。なお、送信側機器において設定されるＮＡＶの終了タイミングと、受信側機器において設定されるＮＡＶの終了タイミングとは、同一となる。
【００８９】
このようにＮＡＶが設定されている期間（４０５）において、送信側機器から受信側機器へのデータ（Ｄａｔａ）送信が行われる（４０３）。また、必要に応じて受領確認（Ａｃｋ）の交換が行われる（４０４）。
【００９０】
図４のｂには、ＣＴＳ−ｔｏ−ｓｅｌｆによりＮＡＶを設定する場合の一例を示す。図４のｂでは、データの送信側の機器（送信側機器）とデータの受信側の機器（受信側機器）との間で行われる通信例およびＮＡＶの設定・解除例を示す。
【００９１】
最初に、送信側機器は、データを受信側機器に送信する前に、ＣＴＳ−ｔｏ−ｓｅｌｆフレームを受信側機器に送信する（４１１）。このＣＴＳ−ｔｏ−ｓｅｌｆフレームにおけるＤｕｒａｔｉｏｎ３１２（図３のｂに示す）には、ＮＡＶを設定する時間（送信抑制時間）が格納される。この場合には、送信抑制時間として最大値が格納される。
【００９２】
また、送信側機器および受信側機器において、そのＣＴＳ−ｔｏ−ｓｅｌｆフレームにおけるＤｕｒａｔｉｏｎ３１２（図３のｂに示す）に格納した時間に亘り、ＣＦ（Contention Free）領域としてのＮＡＶが設定される（４１５）。
【００９３】
続いて、送信側機器は、そのＮＡＶが設定されている期間（４１５）において、受信側機器へのデータ（Ｄａｔａ）送信を行う（４１２）。また、必要に応じて受領確認（Ａｃｋ）の交換が行われる（４１３）。
【００９４】
ここで、ＣＴＳ−ｔｏ−ｓｅｌｆフレームにより設定されたＮＡＶに残り時間が存在する場合には、送信側機器は、ＣＦ期間が終了したことを報知するため、ＣＦ−ＥＮＤフレームを受信側機器に送信する（４１４）。このように、送信側機器は、ＣＦ−ＥＮＤフレームを受信側機器に送信することにより、先に設定したＣＦ領域としてのＮＡＶを解除することができる（４１６）。
【００９５】
図４のｃには、ＣＴＳ−ｔｏ−ｓｅｌｆによりＮＡＶを設定する場合の一例を示す。図４のｃでは、ＮＡＶを設定する設定側の機器（設定側機器）とその対象となる機器（対象側機器）との間で行われる通信例およびＮＡＶの設定・解除例を示す。なお、図４のｃに示す例は、図４のｂの変形例であるため、図４のｂと共通する部分についての説明を省略する。
【００９６】
図４のｂに示す例と同様に、設定側機器から対象側機器にＣＴＳ−ｔｏ−ｓｅｌｆフレームが送信される（４２１）。また、設定側機器および対象側機器において、そのＣＴＳ−ｔｏ−ｓｅｌｆフレームにおけるＤｕｒａｔｉｏｎ３１２（図３のｂに示す）に格納した時間に亘り、ＣＦ領域としてのＮＡＶが設定される（４２５）。
【００９７】
続いて、設定側機器は、そのＮＡＶが設定されている期間（４２５）において、対象側機器へのデータ（Ｄａｔａ＋Ｐｏｌｌ）送信を行う（４２２）。また、設定側機器は、そのデータ送信後に、Ｐｏｌｌで指定された対象側機器からのデータおよび受領確認（Ｄａｔａ＋Ａｃｋ）を受信する（４２３）。
【００９８】
ここで、ＣＴＳ−ｔｏ−ｓｅｌｆフレームにより設定されたＮＡＶに残り時間が存在する場合には、設定側機器は、ＣＦ期間が終了したことを報知するためのフレームを対象側機器に送信する（４２４）。すなわち、設定側機器は、受領確認およびＣＦ−ＥＮＤを含むフレーム（Ａｃｋ＋ＣＦｅｎｄ）を対象側機器に送信する（４２４）。このように、設定側機器は、ＣＦ−ＥＮＤフレームを対象側機器に送信することにより、先に設定したＣＦ領域としてのＮＡＶを解除することができる（４２６）。
【００９９】
［ＯＮＡＶの設定・解除例］
図５は、本技術の基礎となるＯＮＡＶの設定・解除例を示す図である。なお、図５に示す横軸は、時間軸を示す。また、図５において、ＯＢＳＳに属する機器として２つの機器（ＯＢＳＳ  ＡＰ２、ＯＢＳＳ  ＡＰ３）を示す。また、各機器に対応する時間軸の上側には、各機器から送信されるデータを内部にその内容を付した矩形で示す。なお、図５は、図７の比較例として示す。
【０１００】
図５のａおよびｂには、複数のＯＢＳＳについて１つのＯＮＡＶを設定および解除する場合の一例を示す。図５のａおよびｂでは、複数のＯＢＳＳから信号を受信した場合に、その中で一番長い時間（Ｄｕｒａｔｉｏｎに格納されている時間）をＯＢＳＳのＯＮＡＶとして管理する例を示す。
【０１０１】
図５のａでは、ＯＢＳＳ  ＡＰ２からＣＦ−ＥＮＤフレームを受信する場合の例を示す。
【０１０２】
例えば、情報処理装置（ＳＴＡ）１（図示せず）は、ＯＢＳＳ  ＡＰ２からＣＴＳフレーム（ＯＢＳＳ  Ａ  ＣＴＳ）を受信した場合には（４３１）、そのＣＴＳフレームにおけるＤｕｒａｔｉｏｎに格納されている値に基づいてＯＮＡＶを設定する（４３２）。また、情報処理装置（ＳＴＡ）１が、そのＯＮＡＶの設定後に、ＯＢＳＳ  ＡＰ３からＣＴＳフレーム（ＯＢＳＳ  Ｂ  ＣＴＳ）を受信した場合には（４３３）、そのＣＴＳフレームにおけるＤｕｒａｔｉｏｎに格納されている値に基づいてＯＮＡＶが更新される（４３４）。図５のａに示す例では、ＯＮＡＶの更新によりＯＮＡＶが延長された場合の例を示す。
【０１０３】
ＯＮＡＶの更新後に、情報処理装置（ＳＴＡ）１が、ＯＢＳＳ  ＡＰ２からＣＦ−ＥＮＤフレームを受信した場合には（４３５）、その更新されたＯＮＡＶを解除する（４３６）。
【０１０４】
このように、情報処理装置（ＳＴＡ）１では、ＯＢＳＳ  ＡＰ３のＯＮＡＶの残り時間が存在するにも関わらず、ＯＢＳＳ  ＡＰ２からのＣＦ−ＥＮＤフレームにより、更新されたＯＮＡＶが解除されてしまう。この場合には、情報処理装置（ＳＴＡ）１は、ＯＢＳＳ  ＡＰ３が無線伝送路を利用していることを把握することができず、自装置のデータ送信を開始してしまうことがある。このように、情報処理装置（ＳＴＡ）１からのデータ送信が開始された場合には、ＯＢＳＳ  ＡＰ３との間で衝突が発生してしまうおそれがある。
【０１０５】
図５のｂでは、ＯＢＳＳ  ＡＰ３からＣＦ−ＥＮＤフレームを受信する場合の例を示す。
【０１０６】
なお、情報処理装置（ＳＴＡ）１が、ＯＢＳＳ  ＡＰ２からのＣＴＳフレームの受信によりＯＮＡＶを設定し、ＯＢＳＳ  ＡＰ３からのＣＴＳフレームの受信によりＯＮＡＶを更新する点（４４１乃至４４４）は、図５のａに示す例と同様である。
【０１０７】
ＯＮＡＶの更新後に、情報処理装置（ＳＴＡ）１が、ＯＢＳＳ  ＡＰ３からＣＦ−ＥＮＤフレームを受信した場合には（４４５）、その更新されたＯＮＡＶを解除する（４４６）。
【０１０８】
このように、情報処理装置（ＳＴＡ）１では、ＯＢＳＳ  ＡＰ２のＯＮＡＶの残り時間が存在するにも関わらず、ＯＢＳＳ  ＡＰ３からのＣＦ−ＥＮＤフレームにより、更新されたＯＮＡＶが解除されてしまう。この場合には、情報処理装置（ＳＴＡ）１は、ＯＢＳＳ  ＡＰ２が無線伝送路を利用していることを把握することができず、自装置のデータ送信を開始してしまうことがある。このように、情報処理装置（ＳＴＡ）１からのデータ送信が開始された場合には、ＯＢＳＳ  ＡＰ２との間で衝突が発生してしまうおそれがある。
【０１０９】
そこで、本技術の実施の形態では、複数のＯＢＳＳのそれぞれについてＮＡＶ（ＯＮＡＶ）を個別に管理することにより、複数のＯＢＳＳが存在する環境下でも適切に無線通信を行うことができる例を示す。
【０１１０】
なお、本技術の実施の形態では、対象となる機器（対象機器）を基準とする場合に、対象機器が属するＢＳＳのＮＡＶをＮＡＶとして表す。また、対象機器を基準とする場合に、対象機器が属するＢＳＳ以外の他のＢＳＳであって、対象機器に到達する電波を送信する他のＢＳＳ（ＯＢＳＳ）のＮＡＶをＯＮＡＶとして表す。
【０１１１】
［ＮＡＶおよびＯＮＡＶの管理例］
図６は、本技術の実施の形態におけるＮＡＶ・ＯＮＡＶ管理部２１２によるＮＡＶおよびＯＮＡＶの管理例を示す図である。
【０１１２】
図６のａには、複数のＯＢＳＳのそれぞれについてＯＮＡＶを管理する場合に用いるＯＮＡＶ情報管理テーブルの一例を示す。
【０１１３】
ＯＮＡＶ情報管理テーブルには、フレームタイプ５０１と、ＲＡ５０２と、ＴＡ５０３と、受信時刻５０４と、Ｄｕｒａｔｉｏｎ５０５と、仮登録５０６と、受信信号強度５０７とが関連付けて記録される。
【０１１４】
フレームタイプ５０１には、ＯＢＳＳに属する機器から情報処理装置（ＡＰ１）１００が受信したフレームの種類が格納される。例えば、図３のａ乃至ｆに示す各フレームの種類が格納される。
【０１１５】
ＲＡ５０２には、ＯＢＳＳに属する機器から情報処理装置（ＡＰ１）１００が受信したフレームに格納されているＲＡが格納される。例えば、図３のａ乃至ｆに示すＲＡ３０３、３１３、３２３、３３３、３４３、３５３の情報が格納される。
【０１１６】
ＴＡ５０３には、ＯＢＳＳに属する機器から情報処理装置（ＡＰ１）１００が受信したフレームに格納されているＴＡが格納される。例えば、図３のａ、ｄ乃至ｆに示すＴＡ３０４、３３４、３４４、３５４の情報が格納される。
【０１１７】
受信時刻５０４には、ＯＢＳＳに属する機器から情報処理装置（ＡＰ１）１００がフレームを受信した時刻（または、受信タイミング）が格納される。
【０１１８】
Ｄｕｒａｔｉｏｎ５０５には、ＯＢＳＳに属する機器から情報処理装置（ＡＰ１）１００が受信したフレームに格納されているＤｕｒａｔｉｏｎの値が格納される。例えば、図３のａ乃至ｃ、ｅ、ｆに示すＤｕｒａｔｉｏｎ３０２、３１２、３２２、３４２、３５２の情報が格納される。
【０１１９】
仮登録５０６には、本登録であるか、仮登録であるかを示す情報が格納される。例えば、仮登録５０６には、本登録である場合には「０」が格納され、仮登録である場合には「１」が格納される。なお、本登録および仮登録については、図８を参照して詳細に説明する。
【０１２０】
受信信号強度５０７には、ＯＢＳＳに属する機器から情報処理装置（ＡＰ１）１００がフレームを受信した際におけるそのフレームの受信信号強度が格納される。受信信号強度として、例えば、ＲＳＳＩ（Received Signal Strength Indicator）を用いることができる。また、受信信号強度の代わりに、他の電波状況情報を格納するようにしてもよい。例えば、ＰＥＲ（Packet Error Rate）、ＢＥＲ（BitError Rate）、パケットの再送回数、スループット、フレーム落ち、ＳＩＲ（Signal to Interference Ratio）、ＳＩＮＲ（Signal to Interference plus Noise Ratio）を用いてもよい。
【０１２１】
図６のｂには、情報処理装置（ＡＰ１）１００が属するＢＳＳのＮＡＶを管理する場合に用いるＮＡＶ情報管理テーブルの一例を示す。
【０１２２】
ＮＡＶ情報管理テーブルには、受信時刻５１１およびＤｕｒａｔｉｏｎ５１２が関連付けて記録される。
【０１２３】
受信時刻５１１には、自装置のＢＳＳに属する機器から情報処理装置（ＡＰ１）１００がフレームを受信した時刻（または、受信タイミング）が格納される。
【０１２４】
Ｄｕｒａｔｉｏｎ５１２には、自装置のＢＳＳに属する機器から情報処理装置（ＡＰ１）１００が受信したフレームに格納されているＤｕｒａｔｉｏｎの値が格納される。
【０１２５】
［複数のＯＢＳＳ毎の管理によるＯＮＡＶの設定・解除例］
図７は、本技術の実施の形態におけるＮＡＶ・ＯＮＡＶ管理部２１２によるＯＮＡＶの管理例を示す図である。
【０１２６】
図７では、図１に示す例において、情報処理装置（ＡＰ１もしくはＳＴＡ１−１、ＳＴＡ１−２）が、複数のＯＢＳＳ（第１のＯＢＳＳの情報処理装置（ＡＰ２もしくはＳＴＡ２−１、ＳＴＡ２−２）、第２のＯＢＳＳの情報処理装置（ＡＰ３もしくはＳＴＡ３−１、ＳＴＡ３−２））毎にＯＮＡＶを管理する例を示す。すなわち、情報処理装置１００が備えるＮＡＶ・ＯＮＡＶ管理部２１２が、複数のＯＢＳＳ毎にＯＮＡＶを管理し、複数のＯＢＳＳ毎にＯＮＡＶの設定および解除を行う例を示す。なお、図７に示す横軸は、時間軸を示す。また、各機器に対応する時間軸の上側には、各機器から送信されるデータを内部にその内容を付した矩形で示す。
【０１２７】
図７のａでは、情報処理装置（ＡＰ１）１００が情報処理装置（ＡＰ２）１１０からＣＦ−ＥＮＤフレームを受信する場合の例を示す。
【０１２８】
例えば、情報処理装置（ＡＰ１）１００が、情報処理装置（ＡＰ２）１１０からＣＴＳフレーム（ＯＢＳＳ  Ａ  ＣＴＳ）を受信した場合を想定する（４５１）。この場合には、ＮＡＶ・ＯＮＡＶ管理部２１２は、そのＣＴＳフレームに基づいて、情報処理装置（ＡＰ２）１１０のＯＮＡＶ（ＯＮＡＶ  Ａ）を設定する（４５２）。
【０１２９】
具体的には、ＮＡＶ・ＯＮＡＶ管理部２１２は、そのＣＴＳフレームに基づいて、図６のａに示すＯＮＡＶ情報管理テーブルにおける各情報を記録する。具体的には、ＮＡＶ・ＯＮＡＶ管理部２１２は、「ＣＴＳ」をフレームタイプ５０１に記録し、そのＣＴＳフレームのＲＡ３１３（図３のｂに示す）の情報をＲＡ５２０に記録する。また、ＮＡＶ・ＯＮＡＶ管理部２１２は、そのＣＴＳフレームを受信した時刻を受信時刻５０４に記録し、そのＣＴＳフレームのＤｕｒａｔｉｏｎ３１２（図３のｂに示す）の値をＤｕｒａｔｉｏｎ５０５に記録する。また、ＮＡＶ・ＯＮＡＶ管理部２１２は、「０」を仮登録５０６に記録し、そのＣＴＳフレームを受信した際におけるＲＳＳＩを受信信号強度５０７に記録する。このように、ＮＡＶ・ＯＮＡＶ管理部２１２は、受信したＣＴＳフレームに基づいて、そのＣＴＳフレームを送信したＯＢＳＳ（情報処理装置（ＡＰ２）１１０）のＯＮＡＶ（ＯＮＡＶ  Ａ）を設定する。また、ＣＴＳフレームの直前にＲＴＳフレームを受信している場合に、そのＲＴＳフレームに対するＣＴＳフレームであることが判明した場合は、ＲＴＳフレームを送信したＯＢＳＳ（情報処理装置（ＡＰ２）１１０）のＯＮＡＶ（ＯＮＡＶ  Ａ）と併せて管理することで、１つのＯＢＳＳで１つのＯＮＡＶを管理する。
【０１３０】
また、そのＯＮＡＶ  Ａの設定後に、情報処理装置（ＡＰ１）１００が、情報処理装置（ＡＰ３）１２０からＣＴＳフレーム（ＯＢＳＳ  Ｂ  ＣＴＳ）を受信した場合を想定する（４５３）。この場合には、ＮＡＶ・ＯＮＡＶ管理部２１２は、そのＣＴＳフレームに基づいて、ＯＢＳＳ（情報処理装置（ＡＰ３）１２０）のＯＮＡＶ（ＯＮＡＶ  Ｂ）を設定する（４５４）。この設定方法については、情報処理装置（ＡＰ２）１１０のＯＮＡＶ  Ａの設定方法と同様であるため、ここでの説明を省略する。
【０１３１】
このように、ＮＡＶ・ＯＮＡＶ管理部２１２は、複数のＯＢＳＳ（情報処理装置（ＡＰ２）１１０、情報処理装置（ＡＰ３）１２０）毎にＯＮＡＶを設定して管理する。
【０１３２】
ＯＮＡＶ  ＡおよびＯＮＡＶ  Ｂの設定後に、情報処理装置（ＡＰ１）１００が、情報処理装置（ＡＰ２）１１０からＣＦ−ＥＮＤフレームを受信した場合を想定する（４５５）。この場合には、ＮＡＶ・ＯＮＡＶ管理部２１２は、そのＣＦ−ＥＮＤフレームに基づいて、情報処理装置（ＡＰ２）１１０のＯＮＡＶ  Ａを解除する（４５６）。
【０１３３】
具体的には、ＮＡＶ・ＯＮＡＶ管理部２１２は、そのＣＦ−ＥＮＤフレームに基づいて、そのＣＦ−ＥＮＤフレームを送信した情報処理装置（ＡＰ２）１１０のＯＮＡＶ  Ａに対応する各情報を、図６のａに示すＯＮＡＶ情報管理テーブルから削除する。
【０１３４】
具体的には、ＮＡＶ・ＯＮＡＶ管理部２１２は、そのＣＦ−ＥＮＤフレームのＢＳＳＩＤ（ＴＡ）３４４（図３のｅに示す）が、自装置が属するＢＳＳのＢＳＳＩＤと一致するか否かを判断する。そして、そのＣＦ−ＥＮＤフレームのＢＳＳＩＤ（ＴＡ）３４４が、自装置が属するＢＳＳのＢＳＳＩＤとは異なる場合には、ＮＡＶ・ＯＮＡＶ管理部２１２は、そのＣＦ−ＥＮＤフレームがＯＢＳＳから送信されたものであることを把握することができる。この場合に、ＮＡＶ・ＯＮＡＶ管理部２１２は、図６のａに示すＯＮＡＶ情報管理テーブルのＲＡ５０２から、そのＣＦ−ＥＮＤフレームのＲＡ３４３（図３のｅに示す）と一致するものを抽出する。そして、ＮＡＶ・ＯＮＡＶ管理部２１２は、その一致するＲＡ５０２に関連付けられている各情報（情報処理装置（ＡＰ２）１１０のＯＮＡＶ  Ａに対応する各情報）を、ＯＮＡＶ情報管理テーブルから削除する。
【０１３５】
なお、ＯＮＡＶ情報管理テーブルのＲＡ５０２において、ＣＦ−ＥＮＤフレームのＲＡ３４３には、ブロードキャストアドレスが記載されており、ＲＴＳフレームやＣＴＳフレームと一致するものが存在しない場合には、そのＣＦ−ＥＮＤフレームが、ＯＮＡＶ情報管理テーブルに登録されていないＯＢＳＳから送信されたものである可能性がある。そこで、この場合には、ＮＡＶ・ＯＮＡＶ管理部２１２は、そのＣＦ−ＥＮＤフレームを無視して、ＯＮＡＶ情報管理テーブルからの削除処理を行わない。
【０１３６】
このように、情報処理装置（ＡＰ２）１１０からＣＦ−ＥＮＤフレームを受信した場合には（４５５）、情報処理装置（ＡＰ２）１１０のＯＮＡＶ  Ａのみが解除され（４５６）、情報処理装置（ＡＰ３）１２０のＯＮＡＶ  Ｂの設定が維持される（４５４）。このため、情報処理装置（ＡＰ１）１００は、情報処理装置（ＡＰ３）１２０のＯＮＡＶ  Ｂの期間において、情報処理装置（ＡＰ３）１２０が無線伝送路を利用していることを把握することができ、自装置のデータ送信を開始してしまうことを防止することができる。これにより、情報処理装置（ＡＰ１）１００と、情報処理装置（ＡＰ３）１２０との間での衝突の発生を防止することができる。
【０１３７】
図７のｂでは、情報処理装置（ＡＰ１）１００が情報処理装置（ＡＰ３）１２０からＣＦ−ＥＮＤフレームを受信する場合の例を示す。
【０１３８】
なお、情報処理装置（ＡＰ２）１１０からのＣＴＳフレームの受信によりＯＮＡＶ  Ａを設定し、情報処理装置（ＡＰ３）１２０からのＣＴＳフレームの受信によりＯＮＡＶ  Ｂを設定する点（４６１乃至４６４）は、図７のａに示す例と同様である。
【０１３９】
ＯＮＡＶ  ＡおよびＯＮＡＶ  Ｂの設定後に、情報処理装置（ＡＰ１）１００が、情報処理装置（ＡＰ３）１２０からＣＦ−ＥＮＤフレームを受信した場合を想定する（４６５）。この場合には、ＮＡＶ・ＯＮＡＶ管理部２１２は、そのＣＦ−ＥＮＤフレームに基づいて、情報処理装置（ＡＰ３）１２０のＯＮＡＶ  Ｂを解除する（４６６）。
【０１４０】
具体的には、ＮＡＶ・ＯＮＡＶ管理部２１２は、そのＣＦ−ＥＮＤフレームに基づいて、そのＣＦ−ＥＮＤフレームを送信した情報処理装置（ＡＰ３）１２０のＯＮＡＶ  Ｂに対応する各情報を、図６のａに示すＯＮＡＶ情報管理テーブルから削除する。なお、この削除方法については、図７のａに示す例と同様であるため、ここでの説明を省略する。
【０１４１】
このように、情報処理装置（ＡＰ３）１２０からＣＦ−ＥＮＤフレームを受信した場合には（４６５）、情報処理装置（ＡＰ３）１２０のＯＮＡＶ  Ｂのみが解除され（４６６）、情報処理装置（ＡＰ２）１１０のＯＮＡＶ  Ａの設定が維持される（４６２）。このため、情報処理装置（ＡＰ１）１００は、情報処理装置（ＡＰ２）１１０のＯＮＡＶ  Ａの期間において、情報処理装置（ＡＰ２）１１０が無線伝送路を利用していることを把握することができ、自装置のデータ送信を開始してしまうことを防止することができる。これにより、情報処理装置（ＡＰ１）１００と、情報処理装置（ＡＰ２）１１０との間での衝突の発生を防止することができる。
【０１４２】
このように、本技術の実施の形態では、複数のＯＢＳＳのそれぞれについてＯＮＡＶを個別に管理することにより、複数のＯＢＳＳが存在する環境下でも適切に無線通信を行うことができる。
【０１４３】
なお、図７では、ＮＡＶ・ＯＮＡＶ管理部２１２が２つのＯＢＳＳについてＯＮＡＶを管理する例を示すが、３以上のＯＢＳＳについても同様にＯＮＡＶを管理することができる。
【０１４４】
また、ＮＡＶ・ＯＮＡＶ管理部２１２の管理対象となるＯＢＳＳの数が多くなることも想定される。このような場合には、所定規則に基づいて、所定数のＯＢＳＳのみを管理対象とすることができる。例えば、図６のａに示すＯＮＡＶ情報管理テーブルの受信時刻５０４およびＤｕｒａｔｉｏｎ５０５に基づいて、ＯＮＡＶの解除タイミングが最も遅いＯＢＳＳから順番に、所定数のＯＢＳＳを管理対象として選択することができる。また、例えば、図６のａに示すＯＮＡＶ情報管理テーブルの受信信号強度５０７に基づいて、ＲＳＳＩの値が最も良いＯＢＳＳから順番に、所定数のＯＢＳＳを管理対象として選択することができる。
【０１４５】
［情報処理装置の動作例］
図８は、本技術の実施の形態における情報処理装置によるＮＶおよびＯＮＡＶ管理処理の処理手順の一例を示すフローチャートである。図８では、説明の容易のため、図２に示す各部を用いて説明する。
【０１４６】
ＲＴＳフレームまたはＣＴＳフレームを受信した場合には（ステップＳ８０１）、制御フレーム抽出部２１１は、受信したＲＴＳフレームまたはＣＴＳフレームから各情報（例えば、Ｄｕｒａｔｉｏｎ、アドレス情報）を抽出する（ステップＳ８０２）。
【０１４７】
続いて、ＮＡＶ・ＯＮＡＶ管理部２１２は、その抽出された情報（アドレス情報）に基づいて、自装置のＢＳＳに属する他の情報処理装置（ＳＴＡ）からのＲＴＳフレームまたはＣＴＳフレームであるか否かを判断する（ステップＳ８０３）。そして、自装置のＢＳＳに属する他の情報処理装置（ＳＴＡ）からのＲＴＳフレームまたはＣＴＳフレームである場合には（ステップＳ８０３）、ＮＡＶ・ＯＮＡＶ管理部２１２は、抽出されたＤｕｒａｔｉｏｎに基づいて、ＮＡＶを設定する（ステップＳ８０４）。例えば、ＮＡＶ・ＯＮＡＶ管理部２１２は、図６のｂに示すＮＡＶ情報管理テーブルにおいて、ＲＴＳフレームまたはＣＴＳフレームの受信時刻を受信時刻５１１に記録し、抽出されたＤｕｒａｔｉｏｎの値をＤｕｒａｔｉｏｎ５１２に記録する。
【０１４８】
また、自装置のＢＳＳに属する他の情報処理装置（ＳＴＡ）からのＲＴＳフレームおよびＣＴＳフレームの何れでもない場合には（ステップＳ８０３）、ＮＡＶ・ＯＮＡＶ管理部２１２は、自装置のＢＳＳに属する他の情報処理装置（ＡＰ）からのＣＴＳ−ｔｏ−ｓｅｌｆフレームであるか否かを判断する（ステップＳ８０５）。
【０１４９】
自装置のＢＳＳに属する他の情報処理装置（ＡＰ）からのＣＴＳ−ｔｏ−ｓｅｌｆフレームである場合には（ステップＳ８０５）、ＮＡＶ・ＯＮＡＶ管理部２１２は、ＣＦ領域が開始されたことを認識する（ステップＳ８０６）。すなわち、ＮＡＶ・ＯＮＡＶ管理部２１２は、抽出されたＤｕｒａｔｉｏｎに記載された時間に亘り、ＣＦ（Contention Free）領域が設定されたことを認識する（ステップＳ８０６）。
【０１５０】
このように、ＮＡＶ・ＯＮＡＶ管理部２１２は、ＢＳＳに属するアクセスポイントから受信した制御信号がＣＴＳフレームである場合には、ＢＳＳにおいてデータ送信が行われることを把握することができる。
【０１５１】
ＢＳＳに属する他の情報処理装置（ＡＰ）からのＣＴＳ−ｔｏ−ｓｅｌｆフレームでない場合には（ステップＳ８０５）、ＮＡＶ・ＯＮＡＶ管理部２１２は、ＯＢＳＳの情報処理装置（ＳＴＡ）からのＣＴＳフレームであるか否かを判断する（ステップＳ８０７）。ＯＢＳＳの情報処理装置（ＳＴＡ）からのＣＴＳフレームである場合には（ステップＳ８０７）、ＮＡＶ・ＯＮＡＶ管理部２１２は、受信したＣＴＳフレームに基づいてＯＮＡＶを設定する（ステップＳ８０８）。例えば、ＮＡＶ・ＯＮＡＶ管理部２１２は、図６のａに示すＯＮＡＶ情報管理テーブルにおいて、受信したＣＴＳフレームに関する各情報（例えば、ＲＡ、Ｄｕｒａｔｉｏｎ）を記録し、仮登録５０５に「０」を記録する。
【０１５２】
このように、ＮＡＶ・ＯＮＡＶ管理部２１２は、ＯＢＳＳに属する他の情報処理装置から受信した制御信号がＣＴＳフレームである場合には、そのＯＢＳＳのＯＮＡＶを管理対象とすることができる。
【０１５３】
一方、ＯＢＳＳの情報処理装置（ＳＴＡ）からのＲＴＳフレームである場合には（ステップＳ８０７）、ＮＡＶ・ＯＮＡＶ管理部２１２は、受信したＲＴＳフレームに基づいてＯＮＡＶを仮設定（仮登録）する（ステップＳ８０９）。例えば、ＮＡＶ・ＯＮＡＶ管理部２１２は、図６のａに示すＯＮＡＶ情報管理テーブルにおいて、受信したＲＴＳフレームに関する各情報（例えば、ＲＡ、ＴＡ、Ｄｕｒａｔｉｏｎ）を記録し、仮登録５０５に「１」を記録する。
【０１５４】
このように、ＯＢＳＳの情報処理装置（ＳＴＡ）からＲＴＳフレームを受信した場合には（ステップＳ８０７）、Ｄｕｒａｔｉｏｎの値をＯＮＡＶ値として仮設定（仮登録）することができる。ここで、仮設定（仮登録）されたＯＮＡＶについては、所定条件を満たす場合に、本登録とすることができる。例えば、ＲＴＳフレームを受信した直後に、そのＲＴＳフレームに対応するＣＴＳフレームを受信し、かつ、そのＲＴＳフレームにおけるＴＡと、そのＣＴＳフレームにおけるＲＡとが一致した場合に、本登録とすることができる。
【０１５５】
また、ＯＮＡＶを仮設定（仮登録）した場合には、ＣＴＳフレームを受信し易くするため、パケット検出閾値を通常よりも下げる等の制御を行うようにしてもよい。
【０１５６】
ここで、ＯＢＳＳの情報処理装置（ＳＴＡ）からＲＴＳフレームを受信した直後に、そのＲＴＳフレームに対応するＣＴＳフレームを受信しない場合には、自装置は、そのデータ受信に影響がないと考えられる。そこで、ＯＮＡＶを仮設定する代わりに、ＯＢＳＳの情報処理装置（ＳＴＡ）からＲＴＳフレームを受信した直後に、そのＯＢＳＳからのＣＴＳフレーム（そのＲＴＳフレームに対応する）を受信したことを条件にＯＮＡＶを設定するようにしてもよい。
【０１５７】
また、ＲＴＳフレームまたはＣＴＳフレームを受信していない場合には（ステップＳ８０１）、データフレームを受信したか否か判断される（ステップＳ８１０）。そして、データフレームを受信した場合には（ステップＳ８１０）、データフレーム抽出部２１３は、受信したデータフレームにおけるデータ部分を抽出する（ステップＳ８１１）。続いて、受信したデータフレームに対するＡＣＫの返送が必要であるか否かが判断される（ステップＳ８１２）。そして、ＡＣＫの返送が必要である場合には（ステップＳ８１２）、ＡＣＫを返送する（ステップＳ８１３）。例えば、受信したデータフレームのＡｃｋ  Ｐｏｌｉｃｙビットの指定に基づいて、そのデータフレームを正しく受信できた場合に、ＡＣＫを返送する（ステップＳ８１３）。なお、ＡＣＫの返送が不要である場合には（ステップＳ８１２）、ステップＳ８０１に戻る。
【０１５８】
データフレームを受信していない場合には（ステップＳ８１０）、ＣＦ−ＥＮＤフレームを受信したか否かが判断される（ステップＳ８１４）。そして、ＣＦ−ＥＮＤフレームを受信した場合には（ステップＳ８１４）、制御フレーム抽出部２１１は、受信したＣＦ−ＥＮＤフレームから各情報（例えば、Ｄｕｒａｔｉｏｎ、アドレス情報）を抽出する（ステップＳ８１５）。
【０１５９】
続いて、ＮＡＶ・ＯＮＡＶ管理部２１２は、その抽出された情報（ＢＳＳＩＤ（ＴＡ））に基づいて、自装置のＢＳＳに属する情報処理装置（ＡＰ）からのＣＦ−ＥＮＤフレームであるか否かを判断する（ステップＳ８１６）。例えば、その抽出されたＢＳＳＩＤ（ＴＡ）が、自装置のＢＳＳに属する情報処理装置（ＡＰ）のアドレス（ＢＳＳＩＤ）である場合には、自装置のＢＳＳに属する情報処理装置（ＡＰ）からのＣＦ−ＥＮＤフレームであると判断する（ステップＳ８１６）。そして、自装置のＢＳＳに属する情報処理装置（ＡＰ）からのＣＦ−ＥＮＤフレームである場合には（ステップＳ８１６）、ＮＡＶ・ＯＮＡＶ管理部２１２は、ＣＦ領域が終了したことを認識する（ステップＳ８１７）。
【０１６０】
このように、ＮＡＶ・ＯＮＡＶ管理部２１２は、ＢＳＳに属するアクセスポイントから受信した制御信号がＣＦ−ＥＮＤフレームである場合には、ＢＳＳにおいてＣＦ領域が終了して、ＢＳＳのアクセスポイント（ＡＰ）からのデータ送信が行われないことを把握することができる。
【０１６１】
自装置のＢＳＳに属する情報処理装置（ＡＰ）からのＣＦ−ＥＮＤフレームでない場合には（ステップＳ８１６）、ＮＡＶ・ＯＮＡＶ管理部２１２は、その抽出されたＢＳＳＩＤ（ＴＡ）に対応するＯＮＡＶが設定されているか否かを判断する（ステップＳ８１８）。例えば、ＮＡＶ・ＯＮＡＶ管理部２１２は、図６のａに示すＴＡ５０３の中に、その抽出されたＢＳＳＩＤ（ＴＡ）と一致するものが存在するか否かを判断する。そして、図６のａに示すＴＡ５０３の中に、その抽出されたＢＳＳＩＤ（ＴＡ）と一致するものが存在する場合には、その抽出されたＢＳＳＩＤ（ＴＡ）に対応するＯＮＡＶが設定されていると判断する（ステップＳ８１８）。一方、図６のａに示すＴＡ５０３の中に、その抽出されたＢＳＳＩＤ（ＴＡ）と一致するものが存在しない場合には、その抽出されたＢＳＳＩＤ（ＴＡ）に対応するＯＮＡＶが設定されていないと判断する（ステップＳ８１８）。
【０１６２】
その抽出されたＢＳＳＩＤ（ＴＡ）に対応するＯＮＡＶが設定されていない場合には（ステップＳ８１８）、ステップＳ８２１に進む。また、その抽出されたＢＳＳＩＤ（ＴＡ）に対応するＯＮＡＶが設定されている場合には（ステップＳ８１８）、ＮＡＶ・ＯＮＡＶ管理部２１２は、その抽出されたＢＳＳＩＤ（ＴＡ）に対応するＯＮＡＶを解除する（ステップＳ８２０）。
【０１６３】
このように、ＮＡＶ・ＯＮＡＶ管理部２１２は、ＯＢＳＳに属する他の情報処理装置から受信した制御信号がＣＦ−ＥＮＤフレームである場合には、ＣＦ−ＥＮＤフレームにおけるアドレス情報に対応するＯＢＳＳのＯＮＡＶを解除することができる。
【０１６４】
また、ＣＦ−ＥＮＤフレームを受信していない場合には（ステップＳ８１４）、ＮＡＶ・ＯＮＡＶ管理部２１２は、設定されているＮＡＶまたはＯＮＡＶのうちでタイムアウトしたものが存在するか否かを判断する（ステップＳ８１９）。例えば、ＮＡＶ・ＯＮＡＶ管理部２１２は、図６のａに示す受信時刻５０４およびＤｕｒａｔｉｏｎ５０５に基づいて、タイムアウトしたＯＮＡＶを抽出することができる（ステップＳ８１９）。また、例えば、ＮＡＶ・ＯＮＡＶ管理部２１２は、図６のｂに示す受信時刻５１１およびＤｕｒａｔｉｏｎ５１２に基づいて、ＮＡＶがタイムアウトしたか否かを判断することができる（ステップＳ８１９）。
【０１６５】
設定されているＮＡＶまたはＯＮＡＶのうちでタイムアウトしたものが存在する場合には（ステップＳ８１９）、ＮＡＶ・ＯＮＡＶ管理部２１２は、タイムアウトしたＮＡＶまたはＯＮＡＶを解除する（ステップＳ８２０）。
【０１６６】
また、自装置は、例えば、自己のＢＳＳにおけるＣＦ領域の終了後、所定の時間にわたり競合領域における通信の終了指示が行われるまでの間（ステップＳ８２１）、これらの一連の動作を繰り返し行う（ステップＳ８０１乃至Ｓ８２１）。なお、ステップＳ８０１乃至Ｓ８２０は、請求の範囲に記載の制御手順の一例である。
【０１６７】
このように、ＮＡＶ・ＯＮＡＶ管理部２１２は、ＢＳＳにおいて設定されるＮＡＶ（送信抑制時間）とともに、少なくとも自装置に到達する電波を送信するＯＢＳＳにおいて設定されるＯＮＡＶ（送信抑制時間）をＯＢＳＳ毎に管理することができる。この場合に、ＮＡＶ・ＯＮＡＶ管理部２１２は、ＯＢＳＳに属する他の情報処理装置から受信した制御信号に基づいて、ＯＢＳＳ毎のＮＡＶを設定することができる。例えば、ＮＡＶ・ＯＮＡＶ管理部２１２は、ＯＢＳＳに属する他の情報処理装置から受信した制御信号におけるＤｕｒａｔｉｏｎの値に基づいて、そのＯＢＳＳのＯＮＡＶを設定することができる。
【０１６８】
また、ＮＡＶ・ＯＮＡＶ管理部２１２は、ＯＢＳＳに属する他の情報処理装置から受信した制御信号の種類に基づいて、ＯＮＡＶの管理内容を変更することができる。
【０１６９】
また、情報処理装置（ＡＰ１）１００は、ＮＡＶおよびＯＮＡＶの何れも設定されていない場合に、自装置からのデータを送信することができる。すなわち、アクセス制御部２０６は、図６のａに示すＯＮＡＶ情報管理テーブルに登録がなく、かつ、図６のｂに示すＮＡＶ情報管理テーブルに登録がない場合に、自装置からのデータを送信することができる。一方、アクセス制御部２０６は、図６のａに示すＯＮＡＶ情報管理テーブルの登録と、図６のｂに示すＮＡＶ情報管理テーブルの登録との全てが解除されるまでの間、無線伝送路に信号を送信しないように制御する。
【０１７０】
このように、本技術の実施の形態によれば、自装置が属するＢＳＳの周囲に存在する複数のＯＢＳＳからの制御信号に基づいて、個々のＯＢＳＳのＯＮＡＶをＯＢＳＳ毎に設定して管理することができる。これにより、それぞれのＯＢＳＳ毎にＯＮＡＶが設定されている状況を把握することができる。また、ＯＢＳＳのＯＮＡＶを解除するための信号を受信した場合には、その信号を送信したＯＢＳＳのＯＮＡＶのみを解除することにより、他のＯＢＳＳのＯＮＡＶを維持して把握することができる。すなわち、１つのＯＮＡＶが解除された場合でも、他のＯＮＡＶを維持することができ、異なるＯＢＳＳからのバーチャルキャリアセンスを確実に実施することができる。これにより、周囲のＯＢＳＳの通信と衝突を避けた運用を実現することができる。言い換えると、意図しないフレームの衝突を未然に防止する仕組みを提供することができる。
【０１７１】
また、情報処理装置の能力に応じて、管理するＯＢＳＳのＯＮＡＶの数量を制御することができる。すなわち、ＯＢＳＳのＯＮＡＶを際限なく管理するのではなく、情報処理装置の能力に応じて長いものから２以上の数だけＯＮＡＶを管理することができる。これにより、より高度な機器では、より確実にＯＢＳＳの通信との衝突を回避する通信制御を実現することができる。
【０１７２】
また、フレームの形式によって、ＯＢＳＳのＯＮＡＶを記録しておくことができる。これにより、本来必要となるＯＢＳＳに対するＯＮＡＶを適切に管理することができる。
【０１７３】
また、一旦設定した個々のＮＡＶ（ＯＮＡＶ）については、その設定した情報処理装置からのＣＦ−ＥＮＤフレームを受信しない限り解除しないようにする。これにより、ＯＢＳＳの信号受信と衝突しない制御を適切に行うことができる。
【０１７４】
また、自装置が属するＢＳＳの情報処理装置（ＡＰ）からのＣＴＳフレームを受信した場合に、そのＣＴＳフレームがＣＴＳ−ｔｏ−ｓｅｌｆフレームであるときには、ＣＦ領域が開始されたと判断することができる。これにより、ＣＴＳフレームの受信以降に自装置宛データが送信されてくることを把握することができる。
【０１７５】
また、自装置が属するＢＳＳの情報処理装置（ＡＰ）からのＣＦ−ＥＮＤフレームを受信した場合には、ＣＦ領域が終了したと判断することができる。これにより、ＣＦ−ＥＮＤフレームの受信以降に自装置宛データが送信されないことを把握することができる。
【０１７６】
また、ＯＢＳＳを構成する情報処理装置（ＡＰ）以外の情報処理装置（ＳＴＡ）からのＲＴＳフレームについては、ＯＢＳＳのＯＮＡＶを設定せず、仮設定とすることができる。この場合には、そのＯＢＳＳを構成する情報処理装置（ＡＰ）からのＣＴＳフレームを受信したことを条件に、ＯＮＡＶを設定する。すなわち、ＯＢＳＳを構成する情報処理装置（ＡＰ）からのＯＮＡＶを有効とするため、フレームのタイプに基づいて、ＯＮＡＶを管理することができる。これにより、他の機器に影響を与えない範囲で、送信機会を増加させることができる。
【０１７７】
なお、本技術の実施の形態で対象となるシステム構成は、これらに限定されない。例えば、図１では、３つのＢＳＳ（９つの機器）により構成される通信システムの例を示すが、ＢＳＳの数、機器の数はこれに限定されない。また、複数の機器の接続形態についても、上述した各接続形態に限定されない。例えば、上述した各接続形態以外の接続形態により、複数の機器が接続されるネットワークについても、本技術の実施の形態を適用することができる。
【０１７８】
なお、本技術の実施の形態では、アクセスポイント（親局）およびその配下装置（子局）により構成される通信システムの例を示した。ただし、例えば、複数の機器が１対１で無線通信を行うことにより、複数の機器が相互に接続されるネットワーク（例えば、メッシュネットワーク、アドホックネットワーク）に、本技術の実施の形態を適用するようにしてもよい。例えば、ＩＥＥＥ８０２．１１ｓのメッシュネットワークに適用することができる。
【０１７９】
例えば、本技術の実施の形態をメッシュネットワークに適用する場合には、自装置が属するＢＳＳにおける、ＮＡＶの管理を行わない。そして、自装置の周囲の機器から送信されたＲＴＳフレームやＣＴＳフレーム等の制御フレームを受信したことにより、一連のＮＡＶの設定および解除の要否を判断する構成とすることができる。
【０１８０】
また、本技術の実施の形態を車載機器間の無線通信（例えば、車車間通信や路車間通信（Ｖ２Ｘ（vehicle to X）））に適用することができる。この場合には、自装置の周囲に存在する車載機器の間で、夫々に制御フレームの受信があった場合に、そのフレームの種類に応じて、周囲の車載機器のＮＡＶの設定および解除の要否を判断する構成とすることができる。
【０１８１】
また、これらの無線通信に適用する場合には、受信電界強度情報に加えて、例えば、他の機器と自装置との間で測定された距離の情報等を加えて管理するようにしてもよい。
【０１８２】
また、本技術の実施の形態における各情報処理装置（ＡＰ、ＳＴＡ）は、各分野において使用される機器に適用することができる。例えば、自動車内で使用される無線機器（例えば、カーナビゲーション装置、スマートフォン）に適用することができる。また、上述したように、例えば、車車間通信や路車間通信（Ｖ２Ｘ）に適用することができる。また、例えば、教育分野で使用される学習機器（例えば、タブレット端末）に適用可能である。また、例えば、農業分野で使用される無線機器（例えば、牛管理システムの端末）に適用可能である。同様に、例えば、スポーツ分野や医療分野等で使用される各無線機器に適用可能である。
【０１８３】
＜２．応用例＞
本開示に係る技術は、様々な製品へ応用可能である。例えば、情報処理装置（ＡＰ、ＳＴＡ）は、スマートフォン、タブレットＰＣ（Personal  Computer）、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、情報処理装置（ＡＰ、ＳＴＡ）は、スマートメータ、自動販売機、遠隔監視装置又はＰＯＳ（Point  Of  Sale）端末などの、Ｍ２Ｍ（Machine  To  Machine）通信を行う端末（ＭＴＣ（Machine  Type  Communication）端末ともいう）として実現されてもよい。さらに、情報処理装置（ＡＰ、ＳＴＡ）は、これら端末に搭載される無線通信モジュール（例えば、１つのダイで構成される集積回路モジュール）であってもよい。
【０１８４】
一方、例えば、情報処理装置（ＡＰ）は、ルータ機能を有し又はルータ機能を有しない無線ＬＡＮアクセスポイント（無線基地局ともいう）として実現されてもよい。また、情報処理装置（ＡＰ）は、モバイル無線ＬＡＮルータとして実現されてもよい。さらに、情報処理装置（ＡＰ）は、これら装置に搭載される無線通信モジュール（例えば、１つのダイで構成される集積回路モジュール）であってもよい。
【０１８５】
［２−１．第１の応用例］
図９は、本開示に係る技術が適用され得るスマートフォン９００の概略的な構成の一例を示すブロック図である。スマートフォン９００は、プロセッサ９０１、メモリ９０２、ストレージ９０３、外部接続インターフェース９０４、カメラ９０６、センサ９０７、マイクロフォン９０８、入力デバイス９０９、表示デバイス９１０、スピーカ９１１、無線通信インターフェース９１３、アンテナスイッチ９１４、アンテナ９１５、バス９１７、バッテリー９１８及び補助コントローラ９１９を備える。
【０１８６】
プロセッサ９０１は、例えばＣＰＵ（Central  Processing  Unit）又はＳｏＣ（System  on  Chip）であってよく、スマートフォン９００のアプリケーションレイヤ及びその他のレイヤの機能を制御する。メモリ９０２は、ＲＡＭ（Random  Access  Memory）及びＲＯＭ（Read  Only  Memory）を含み、プロセッサ９０１により実行されるプログラム及びデータを記憶する。ストレージ９０３は、半導体メモリ又はハードディスクなどの記憶媒体を含み得る。外部接続インターフェース９０４は、メモリカード又はＵＳＢ（Universal  Serial  Bus）デバイスなどの外付けデバイスをスマートフォン９００へ接続するためのインターフェースである。
【０１８７】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１８８】
無線通信インターフェース９１３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インターフェース９１３は、インフラストラクチャーモードにおいては、他の装置と無線ＬＡＮアクセスポイントを介して通信し得る。また、無線通信インターフェース９１３は、アドホックモード又はＷｉ−Ｆｉ Ｄｉｒｅｃｔ等のダイレクト通信モードにおいては、他の装置と直接的に通信し得る。なお、Ｗｉ−Ｆｉ  Ｄｉｒｅｃｔでは、アドホックモードとは異なり２つの端末の一方がアクセスポイントとして動作するが、通信はそれら端末間で直接的に行われる。無線通信インターフェース９１３は、典型的には、ベースバンドプロセッサ、ＲＦ（Radio  Frequency）回路及びパワーアンプなどを含み得る。無線通信インターフェース９１３は、通信制御プログラムを記憶するメモリ、当該プログラムを実行するプロセッサ及び関連する回路を集積したワンチップのモジュールであってもよい。無線通信インターフェース９１３は、無線ＬＡＮ方式に加えて、近距離無線通信方式、近接無線通信方式又はセルラ通信方式などの他の種類の無線通信方式をサポートしてもよい。アンテナスイッチ９１４は、無線通信インターフェース９１３に含まれる複数の回路（例えば、異なる無線通信方式のための回路）の間でアンテナ９１５の接続先を切り替える。アンテナ９１５は、単一の又は複数のアンテナ素子（例えば、ＭＩＭＯアンテナを構成する複数のアンテナ素子）を有し、無線通信インターフェース９１３による無線信号の送信及び受信のために使用される。
【０１８９】
なお、図９の例に限定されず、スマートフォン９００は、複数のアンテナ（例えば、無線ＬＡＮ用のアンテナ及び近接無線通信方式用のアンテナ、など）を備えてもよい。その場合に、アンテナスイッチ９１４は、スマートフォン９００の構成から省略されてもよい。
【０１９０】
バス９１７は、プロセッサ９０１、メモリ９０２、ストレージ９０３、外部接続インターフェース９０４、カメラ９０６、センサ９０７、マイクロフォン９０８、入力デバイス９０９、表示デバイス９１０、スピーカ９１１、無線通信インターフェース９１３及び補助コントローラ９１９を互いに接続する。バッテリー９１８は、図中に破線で部分的に示した給電ラインを介して、図９に示したスマートフォン９００の各ブロックへ電力を供給する。補助コントローラ９１９は、例えば、スリープモードにおいて、スマートフォン９００の必要最低限の機能を動作させる。
【０１９１】
図９に示したスマートフォン９００において、図２を用いて説明したＮＡＶ・ＯＮＡＶ管理部２１２は、無線通信インターフェース９１３において実装されてもよい。また、これら機能の少なくとも一部は、プロセッサ９０１又は補助コントローラ９１９において実装されてもよい。例えば、ＮＡＶ・ＯＮＡＶ管理部２１２がＯＢＳＳ毎のＯＮＡＶを管理することにより、無線通信を適切に行うことができ、バッテリー９１８の電力消費を低減することができる。
【０１９２】
なお、スマートフォン９００は、プロセッサ９０１がアプリケーションレベルでアクセスポイント機能を実行することにより、無線アクセスポイント（ソフトウェアＡＰ）として動作してもよい。また、無線通信インターフェース９１３が無線アクセスポイント機能を有していてもよい。
【０１９３】
［２−２．第２の応用例］
図１０は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインターフェース９２６、コンテンツプレーヤ９２７、記憶媒体インターフェース９２８、入力デバイス９２９、表示デバイス９３０、スピーカ９３１、無線通信インターフェース９３３、アンテナスイッチ９３４、アンテナ９３５及びバッテリー９３８を備える。
【０１９４】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１９５】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインターフェース９２６は、例えば、図示しない端子を介して車載ネットワーク９４１に接続され、車速データなどの車両側で生成されるデータを取得する。
【０１９６】
コンテンツプレーヤ９２７は、記憶媒体インターフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１９７】
無線通信インターフェース９３３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インターフェース９３３は、インフラストラクチャーモードにおいては、他の装置と無線ＬＡＮアクセスポイントを介して通信し得る。また、無線通信インターフェース９３３は、アドホックモード又はＷｉ−Ｆｉ Ｄｉｒｅｃｔ等のダイレクト通信モードにおいては、他の装置と直接的に通信し得る。無線通信インターフェース９３３は、典型的には、ベースバンドプロセッサ、ＲＦ回路及びパワーアンプなどを含み得る。無線通信インターフェース９３３は、通信制御プログラムを記憶するメモリ、当該プログラムを実行するプロセッサ及び関連する回路を集積したワンチップのモジュールであってもよい。無線通信インターフェース９３３は、無線ＬＡＮ方式に加えて、近距離無線通信方式、近接無線通信方式又はセルラ通信方式などの他の種類の無線通信方式をサポートしてもよい。アンテナスイッチ９３４は、無線通信インターフェース９３３に含まれる複数の回路の間でアンテナ９３５の接続先を切り替える。アンテナ９３５は、単一の又は複数のアンテナ素子を有し、無線通信インターフェース９３３による無線信号の送信及び受信のために使用される。
【０１９８】
なお、図１０の例に限定されず、カーナビゲーション装置９２０は、複数のアンテナを備えてもよい。その場合に、アンテナスイッチ９３４は、カーナビゲーション装置９２０の構成から省略されてもよい。
【０１９９】
バッテリー９３８は、図中に破線で部分的に示した給電ラインを介して、図１０に示したカーナビゲーション装置９２０の各ブロックへ電力を供給する。また、バッテリー９３８は、車両側から給電される電力を蓄積する。
【０２００】
図１０に示したカーナビゲーション装置９２０において、図２を用いて説明したＮＡＶ・ＯＮＡＶ管理部２１２は、無線通信インターフェース９３３において実装されてもよい。また、これら機能の少なくとも一部は、プロセッサ９２１において実装されてもよい。例えば、ＮＡＶ・ＯＮＡＶ管理部２１２がＯＢＳＳ毎のＯＮＡＶを管理することにより、無線通信を適切に行うことができる。
【０２０１】
また、無線通信インターフェース９３３は、上述した情報処理装置（ＡＰ）として動作し、車両に乗るユーザが有する端末に無線接続を提供してもよい。
【０２０２】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２０３】
［２−３．第３の応用例］
図１１は、本開示に係る技術が適用され得る無線アクセスポイント９５０の概略的な構成の一例を示すブロック図である。無線アクセスポイント９５０は、コントローラ９５１、メモリ９５２、入力デバイス９５４、表示デバイス９５５、ネットワークインターフェース９５７、無線通信インターフェース９６３、アンテナスイッチ９６４及びアンテナ９６５を備える。
【０２０４】
コントローラ９５１は、例えばＣＰＵ又はＤＳＰ（Digital  Signal  Processor）であってよく、無線アクセスポイント９５０のＩＰ（Internet  Protocol）レイヤ及びより上位のレイヤの様々な機能（例えば、アクセス制限、ルーティング、暗号化、ファイアウォール及びログ管理など）を動作させる。メモリ９５２は、ＲＡＭ及びＲＯＭを含み、コントローラ９５１により実行されるプログラム、及び様々な制御データ（例えば、端末リスト、ルーティングテーブル、暗号鍵、セキュリティ設定及びログなど）を記憶する。
【０２０５】
入力デバイス９５４は、例えば、ボタン又はスイッチなどを含み、ユーザからの操作を受け付ける。表示デバイス９５５は、ＬＥＤランプなどを含み、無線アクセスポイント９５０の動作ステータスを表示する。
【０２０６】
ネットワークインターフェース９５７は、無線アクセスポイント９５０が有線通信ネットワーク９５８に接続するための有線通信インターフェースである。ネットワークインターフェース９５７は、複数の接続端子を有してもよい。有線通信ネットワーク９５８は、イーサネット（登録商標）などのＬＡＮであってもよく、又はＷＡＮ（Wide  Area  Network）であってもよい。
【０２０７】
無線通信インターフェース９６３は、ＩＥＥＥ８０２．１１ａ、１１ｂ、１１ｇ、１１ｎ、１１ａｃ及び１１ａｄなどの無線ＬＡＮ標準のうちの１つ以上をサポートし、近傍の端末へアクセスポイントとして無線接続を提供する。無線通信インターフェース９６３は、典型的には、ベースバンドプロセッサ、ＲＦ回路及びパワーアンプなどを含み得る。無線通信インターフェース９６３は、通信制御プログラムを記憶するメモリ、当該プログラムを実行するプロセッサ及び関連する回路を集積したワンチップのモジュールであってもよい。アンテナスイッチ９６４は、無線通信インターフェース９６３に含まれる複数の回路の間でアンテナ９６５の接続先を切り替える。アンテナ９６５は、単一の又は複数のアンテナ素子を有し、無線通信インターフェース９６３による無線信号の送信及び受信のために使用される。
【０２０８】
図１１に示した無線アクセスポイント９５０において、図２を用いて説明したＮＡＶ・ＯＮＡＶ管理部２１２は、無線通信インターフェース９６３において実装されてもよい。また、これら機能の少なくとも一部は、コントローラ９５１において実装されてもよい。例えば、ＮＡＶ・ＯＮＡＶ管理部２１２がＯＢＳＳ毎のＯＮＡＶを管理することにより、無線通信を適切に行うことができる。
【０２０９】
なお、上述の実施の形態は本技術を具現化するための一例を示したものであり、実施の形態における事項と、請求の範囲における発明特定事項とはそれぞれ対応関係を有する。同様に、請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２１０】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０２１１】
なお、本明細書に記載された効果はあくまで例示であって、限定されるものではなく、また、他の効果があってもよい。
【０２１２】
なお、本技術は以下のような構成もとることができる。
（１）
情報処理装置が属するネットワークにおいて設定される送信抑制時間とともに、前記情報処理装置が属さないネットワークであって少なくとも前記情報処理装置に到達する電波を送信する他のネットワークにおいて設定される送信抑制時間を前記他のネットワーク毎に管理する管理部を具備する情報処理装置。
（２）
前記管理部は、前記他のネットワークに属する他の情報処理装置から受信した制御信号に基づいて前記他のネットワーク毎の送信抑制時間を設定する前記（１）に記載の情報処理装置。
（３）
前記管理部は、前記他のネットワークに属する他の情報処理装置から受信した制御信号におけるＤｕｒａｔｉｏｎの値に基づいて当該他のネットワークの送信抑制時間を設定する前記（１）に記載の情報処理装置。
（４）
前記管理部は、前記他のネットワークに属する他の情報処理装置から受信した制御信号がＣＴＳ（Clear to Send）フレームである場合に、当該他のネットワークの送信抑制時間を管理対象とする前記（１）に記載の情報処理装置。
（５）
前記管理部は、前記他のネットワークに属する他の情報処理装置から受信した制御信号がＣＦ−ＥＮＤ（Contention Free End）フレームである場合に、前記ＣＦ−ＥＮＤフレームにおけるアドレス情報に対応する当該他のネットワークの送信抑制時間を解除する前記（１）に記載の情報処理装置。
（６）
前記管理部は、前記ネットワークに属する他の情報処理装置から受信した制御信号がＲＴＳ（Request to Send）フレームである場合には、前記ＲＴＳフレームにおけるＤｕｒａｔｉｏｎの値に基づいて前記ネットワークの送信抑制時間を設定する前記（１）に記載の情報処理装置。
（７）
前記管理部により管理対象となる前記ネットワークの送信抑制時間と、前記他のネットワーク毎の送信抑制時間との全てが解除されるまでの間、無線伝送路に信号を送信しないように制御するアクセス制御部をさらに具備する前記（１）から（６）のいずれかに記載の情報処理装置。
（８）
前記管理部は、前記他のネットワークに属する他の情報処理装置から受信した制御信号の種類に基づいて前記送信抑制時間の管理内容を変更する前記（１）から（７）のいずれかに記載の情報処理装置。
（９）
前記管理部は、複数の前記他のネットワークにおいて設定される送信抑制時間を前記他のネットワーク毎に管理する前記（１）から（８）のいずれかに記載の情報処理装置。
（１０）
前記管理部は、前記ネットワークに属するアクセスポイントから受信した制御信号がＣＴＳフレームである場合には、前記ネットワークにおいてデータ送信が行われることを把握する前記（１）から（９）のいずれかに記載の情報処理装置。
（１１）
前記管理部は、前記ネットワークに属するアクセスポイントから受信した制御信号がＣＦ−ＥＮＤフレームである場合には、前記ネットワークにおいて前記アクセスポイントからのデータ送信が行われないことを把握する前記（１）から（１０）のいずれかに記載の情報処理装置。
（１２）
第１情報処理装置および第２情報処理装置の双方が属するネットワークにおいてデータ送信を行う場合に、前記ネットワークにおいて送信抑制時間を設定するための制御信号を送信する第１情報処理装置と、
前記制御信号に基づいて前記ネットワークにおいて設定される送信抑制時間を管理するとともに、前記第１情報処理装置および前記第２情報処理装置の何れも属さないネットワークであって少なくとも前記第２情報処理装置に到達する電波を送信する他のネットワークにおいて設定される送信抑制時間を前記他のネットワーク毎に管理する管理部を具備する第２情報処理装置と
を具備する通信システム。
（１３）
情報処理装置が属するネットワークにおいて設定される送信抑制時間とともに、前記情報処理装置が属さないネットワークであって少なくとも前記情報処理装置に到達する電波を送信する他のネットワークにおいて設定される送信抑制時間を前記他のネットワーク毎に管理する情報処理方法。
（１４）
情報処理装置が属するネットワークにおいて設定される送信抑制時間とともに、前記情報処理装置が属さないネットワークであって少なくとも前記情報処理装置に到達する電波を送信する他のネットワークにおいて設定される送信抑制時間を前記他のネットワーク毎に管理する制御手順をコンピュータに実行させるプログラム。
【符号の説明】
【０２１３】
１０  通信システム
２１  インターネット通信部
２２  情報入力部
２３  機器制御部
２４  情報出力部
１００  情報処理装置（ＡＰ１）
１０１  情報処理装置（ＳＴＡ１−１）
１０２  情報処理装置（ＳＴＡ１−２）
１１０  情報処理装置（ＡＰ２）
１１１  情報処理装置（ＳＴＡ２−１）
１１２  情報処理装置（ＳＴＡ２−２）
１２０  情報処理装置（ＡＰ３）
１２１  情報処理装置（ＳＴＡ３−１）
１２２  情報処理装置（ＳＴＡ３−２）
２０１  インターフェース部
２０２  送信バッファ
２０３  データフレーム生成部
２０４  制御フレーム生成部
２０５  無線信号送信処理部
２０６  アクセス制御部
２０７  送信電力制御／受信電界強度設定部
２０８  アンテナ制御部
２０９Ａ、２０９Ｂ  アンテナエレメント
２１０  無線信号受信処理部
２１１  制御フレーム抽出部
２１２  ＮＡＶ・ＯＮＡＶ管理部
２１３  データフレーム抽出部
２１４  受信バッファ
９００  スマートフォン
９０１  プロセッサ
９０２  メモリ
９０３  ストレージ
９０４  外部接続インターフェース
９０６  カメラ
９０７  センサ
９０８  マイクロフォン
９０９  入力デバイス
９１０  表示デバイス
９１１  スピーカ
９１３  無線通信インターフェース
９１４  アンテナスイッチ
９１５  アンテナ
９１７  バス
９１８  バッテリー
９１９  補助コントローラ
９２０  カーナビゲーション装置
９２１  プロセッサ
９２２  メモリ
９２４  ＧＰＳモジュール
９２５  センサ
９２６  データインターフェース
９２７  コンテンツプレーヤ
９２８  記憶媒体インターフェース
９２９  入力デバイス
９３０  表示デバイス
９３１  スピーカ
９３３  無線通信インターフェース
９３４  アンテナスイッチ
９３５  アンテナ
９３８  バッテリー
９４１  車載ネットワーク
９４２  車両側モジュール
９５０  無線アクセスポイント
９５１  コントローラ
９５２  メモリ
９５４  入力デバイス
９５５  表示デバイス
９５７  ネットワークインターフェース
９５８  有線通信ネットワーク
９６３  無線通信インターフェース
９６４  アンテナスイッチ
９６５  アンテナ
【図１】
2017119184.tif 000003
【図２】
2017119184.tif 000004
【図３】
2017119184.tif 000005
【図４】
2017119184.tif 000006
【図５】
2017119184.tif 000007
【図６】
2017119184.tif 000008
【図７】
2017119184.tif 000009
【図８】
2017119184.tif 000010
【図９】
2017119184.tif 000011
【図１０】
2017119184.tif 000012
【図１１】
2017119184.tif 000013
【国際調査報告】
2017119184.tif 000014
2017119184.tif 000015
2017119184.tif 000016
2017119184.tif 000017